(57)【要約】  ワイヤレスネットワーク内の第１のＡＰが、ワイヤレスクライアントデバイスが第１のＡＰからワイヤレスネットワークの第２のＡＰに再関連付けするべきであると決定する。第１のＡＰは、第２のＡＰと調整情報を共有するために、ＡＰ調整メッセージを第１のＡＰから第２のＡＰに伝達する。第１のＡＰは、調整情報に従ってワイヤレスクライアントデバイスの再関連付けを生じさせるために、第２のＡＰと調整する。第１および第２のＡＰは、再関連付け動作を同期するために直接調整することができる。再関連付け動作は、ワイヤレスクライアントデバイスへの構成メッセージの使用、第１および第２のＡＰからのビーコンメッセージの送信電力の管理、または強制された関連付け解除およびブロッキングを含み得る。第１のＡＰは、ワイヤレスクライアントデバイスに第２のＡＰに再関連付けさせる際にどの再関連付け動作が成功したかの記録を維持することができる。
2016538737.tif 000002
【特許請求の範囲】
【請求項１】
ワイヤレスネットワークの第１のアクセスポイント（ＡＰ）で、前記第１のＡＰに通信可能に結合されたワイヤレスクライアントデバイスに前記第１のＡＰから前記ワイヤレスネットワークの第２のＡＰに再関連付けさせると決定することと、
ＡＰ調整メッセージを前記第１のＡＰから前記第２のＡＰに伝達することと、前記ＡＰ調整メッセージが前記ワイヤレスクライアントデバイスを識別し、再関連付け調整情報を含む、
前記再関連付け調整情報に従って前記ワイヤレスクライアントデバイスの前記第２のＡＰへの前記再関連付けを生じさせるために、前記第１のＡＰを前記第２のＡＰと調整することと
を備える、方法。
【請求項２】
前記ワイヤレスクライアントデバイスの前記再関連付けを生じさせるために前記第１のＡＰを前記第２のＡＰと調整することが、前記ワイヤレスクライアントデバイスを前記第２のＡＰに再関連付けさせるために少なくとも１つの再関連付け動作を試みることを含み、前記再関連付け動作が、
前記第１のＡＰによって送信されるビーコンフレームの送信電力を減少させることと、
前記ワイヤレスクライアントデバイスを前記第２のＡＰに再関連付けさせるために、少なくとも前記第２のＡＰを識別する構成パラメータを前記ワイヤレスクライアントデバイスに送ることと、
前記ワイヤレスクライアントデバイスに新しいネットワーク発見および選択を実行するよう強制するために、関連付け解除命令を前記ワイヤレスクライアントデバイスに送ることと、
前記ワイヤレスクライアントデバイスに前記新しいネットワーク発見および選択を実行するよう強制するために、前記第１のＡＰで、前記ワイヤレスクライアントデバイスからの少なくとも１つの着信パケットをブロックすることと
で構成されるグループから少なくとも１つの動作を含む、請求項１に記載の方法。
【請求項３】
前記第１のＡＰによって送信されるビーコンフレームの送信電力を減少させることが、前記第２のＡＰによって送信されるビーコンフレームの送信電力の増加と連携して、前記第１のＡＰによって送信されるビーコンフレームの送信電力を前記減少させることを調整することを含む、請求項２に記載の方法。
【請求項４】
前記再関連付け調整情報が、前記再関連付け動作を同期するためのタイミング情報を含む、請求項２に記載の方法。
【請求項５】
前記ワイヤレスクライアントデバイスのために実行された以前の再関連付け動作の記録を維持することをさらに備え、ここにおいて、前記記録が前記ワイヤレスクライアントデバイスを識別し、前記ワイヤレスクライアントデバイスの前記第１のＡＰから前記第２のＡＰへの前記再関連付けを成功裏に生じさせた前記以前の再関連付け動作を示す、請求項２に記載の方法。
【請求項６】
前記記録が、前記以前の再関連付け動作の開始と、前記以前の再関連付け動作の完了との間の時間の量に関連付けられる待ち時間をさらに含む、請求項５に記載の方法。
【請求項７】
前記以前の再関連付け動作の前記記録に少なくとも部分的に基づいて、どの再関連付け動作を実行するべきかを選択することをさらに備える、請求項５に記載の方法。
【請求項８】
前記ワイヤレスクライアントデバイスの前記再関連付けを生じさせるために前記第１のＡＰを前記第２のＡＰと調整することが、前記第１のＡＰで、第１のビーコンフレームの送信電力を一時的に減少させることを含む、請求項１に記載の方法。
【請求項９】
前記ＡＰ調整メッセージが、前記第２のＡＰに、前記第２のＡＰによって送信される第２のビーコンフレームの送信電力を増加させるためのインジケータを含む、請求項８に記載の方法。
【請求項１０】
前記ワイヤレスクライアントデバイスの前記再関連付けを生じさせるために前記第１のＡＰを前記第２のＡＰと調整することが、前記ワイヤレスクライアントデバイスに関連付け解除命令を送ることを含む、請求項１に記載の方法。
【請求項１１】
前記第１のＡＰで、前記ワイヤレスクライアントデバイスからの少なくとも１つの着信パケットをブロックすることをさらに備える、請求項１０に記載の方法。
【請求項１２】
前記ワイヤレスクライアントデバイスの前記再関連付けを生じさせるために、前記第１のＡＰを前記第２のＡＰと調整することが、
前記ワイヤレスクライアントデバイスを前記第２のＡＰに関連付けさせるために、前記ワイヤレスクライアントデバイスに構成パラメータを送ることを含み、前記構成パラメータが少なくとも前記第２のＡＰを識別する、請求項１に記載の方法。
【請求項１３】
前記構成パラメータが、少なくとも前記第２のＡＰを含む候補ＡＰのリストを含む、請求項１２に記載の方法。
【請求項１４】
前記第１のＡＰに通信可能に結合された前記ワイヤレスクライアントデバイスに前記第１のＡＰから前記第２のＡＰに再関連付けさせると決定することが、
前記ワイヤレスクライアントデバイスと前記第１のＡＰとの間のワイヤレス関連付けに関連する第１の性能特性を決定することと、
前記ワイヤレスクライアントデバイスと前記第２のＡＰとの間の潜在的なワイヤレス関連付けに関連する第２の性能特性を推定することと、
前記第２の性能特性が前記第１の性能特性を上回ると決定することと
を含む、請求項１に記載の方法。
【請求項１５】
前記ＡＰ調整メッセージを伝達することが、前記第２の性能特性が前記第１の性能特性を上回ると決定することに応答する、請求項１４に記載の方法。
【請求項１６】
前記第１のＡＰに通信可能に結合された前記ワイヤレスクライアントデバイスに前記第１のＡＰから前記第２のＡＰに再関連付けさせると決定することが、
前記ワイヤレスクライアントデバイスと前記第２のＡＰとの関連付けが、より大きいアプリケーションスループットを前記ワイヤレスクライアントデバイスに提供すると決定することを含む、請求項１に記載の方法。
【請求項１７】
前記第１のＡＰに通信可能に結合された前記ワイヤレスクライアントデバイスに前記第２のＡＰに再関連付けさせると決定することが、
前記ワイヤレスクライアントデバイスと前記第２のＡＰとの関連付けが、前記第１のＡＰと前記第２のＡＰとの間の負荷バランシングを改善すると決定することを含む、請求項１に記載の方法。
【請求項１８】
前記第１のＡＰに通信可能に結合された前記ワイヤレスクライアントデバイスに前記第１のＡＰから前記第２のＡＰに再関連付けさせると決定することが、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定することを含む、請求項１に記載の方法。
【請求項１９】
前記ワイヤレスクライアントデバイスと前記第２のＡＰとの前記関連付けが、前記ワイヤレスクライアントデバイスと、前記第２のＡＰに関連付けられた他のワイヤレスクライアントデバイスとの間のピアツーピア通信を可能にすると決定することが、前記ワイヤレスクライアントデバイスと、前記第２のＡＰに関連付けられた少なくとも１つのワイヤレスクライアントデバイスとの間のネットワークトラフィックフローを検出することを含む、請求項１８に記載の方法。
【請求項２０】
前記第１のＡＰに通信可能に結合された前記ワイヤレスクライアントデバイスに前記第１のＡＰから前記第２のＡＰに再関連付けさせると決定することが、
前記第１のＡＰで、前記第１のＡＰの第１のＡＰ調整モジュールで受信された情報に基づいて、前記第１のＡＰから前記ワイヤレスクライアントデバイスを関連付け解除すると決定することを含む、請求項１に記載の方法。
【請求項２１】
前記第１のＡＰで、前記ワイヤレスクライアントデバイスが前記第２のＡＰに関連付けられた状態になっているという確認を受信することをさらに備える、請求項１に記載の方法。
【請求項２２】
ワイヤレスネットワークの第１のアクセスポイント（ＡＰ）であって、前記第１のＡＰが、
前記ワイヤレスネットワークと結合するように動作可能なネットワークインターフェースと、
前記第１のアクセスポイント（ＡＰ）で、前記ネットワークインターフェースを介して前記第１のＡＰに通信可能に結合されたワイヤレスクライアントデバイスに前記第１のＡＰから前記ワイヤレスネットワークの第２のＡＰに再関連付けさせると決定することと、
ＡＰ調整メッセージを前記第１のＡＰから前記第２のＡＰに伝達することと、前記ＡＰ調整メッセージが前記ワイヤレスクライアントデバイスを識別し、再関連付け調整情報を含む、
前記再関連付け調整情報に従って前記ワイヤレスクライアントデバイスの前記第２のＡＰへの前記再関連付けを生じさせるために、前記第１のＡＰを前記第２のＡＰと調整することと
を行うように動作可能なＡＰ調整モジュールと、
を備える、ワイヤレスネットワークの第１のアクセスポイント。
【請求項２３】
前記ワイヤレスクライアントデバイスの前記再関連付けを生じさせるために前記第１のＡＰを前記第２のＡＰと調整するように動作可能な前記ＡＰ調整モジュールが、
前記ワイヤレスクライアントデバイスを前記第２のＡＰに再関連付けさせるために少なくとも１つの再関連付け動作を試みるように動作可能な前記ＡＰ調整モジュールを備え、前記再関連付け動作が、
前記第１のＡＰによって送信されるビーコンフレームの送信電力を減少させることと、
前記ワイヤレスクライアントデバイスを前記第２のＡＰに再関連付けさせるために、少なくとも前記第２のＡＰを識別する構成パラメータを前記ワイヤレスクライアントデバイスに送ることと、
前記ワイヤレスクライアントデバイスに新しいネットワーク発見および選択を実行するよう強制するために、関連付け解除命令を前記ワイヤレスクライアントデバイスに送ることと、
前記ワイヤレスクライアントデバイスに前記新しいネットワーク発見および選択を実行するよう強制するために、前記第１のＡＰで、前記ワイヤレスクライアントデバイスからの少なくとも１つの着信パケットをブロックすることと
で構成されるグループから少なくとも１つの動作を含む、請求項２２に記載の第１のＡＰ。
【請求項２４】
前記第１のＡＰによって送信されるビーコンフレームの送信電力を減少させることが、前記第２のＡＰによって送信されるビーコンフレームの送信電力の増加と連携して、前記第１のＡＰによって送信されるビーコンフレームの送信電力を前記減少させることを調整することを含む、請求項２３に記載の第１のＡＰ。
【請求項２５】
前記再関連付け調整情報が、前記再関連付け動作を同期するためのタイミング情報を含む、請求項２３に記載の第１のＡＰ。
【請求項２６】
前記ＡＰ調整モジュールが、
前記ワイヤレスクライアントデバイスのために実行された以前の再関連付け動作の記録を維持するようにさらに動作可能であり、ここにおいて、前記記録が前記ワイヤレスクライアントデバイスを識別し、前記ワイヤレスクライアントデバイスの前記第１のＡＰから前記第２のＡＰへの前記再関連付けを成功裏に生じさせた前記以前の再関連付け動作を示す、請求項２３に記載の第１のＡＰ。
【請求項２７】
前記記録が、前記以前の再関連付け動作の開始と、前記以前の再関連付け動作の完了との間の時間の量に関連付けられる待ち時間をさらに含む、請求項２６に記載の第１のＡＰ。
【請求項２８】
前記ＡＰ調整モジュールが、
前記以前の再関連付け動作の前記記録に少なくとも部分的に基づいて、どの再関連付け動作を実行するべきかを選択するようにさらに動作可能である、請求項２６に記載の第１のＡＰ。
【請求項２９】
前記ワイヤレスクライアントデバイスを前記第１のＡＰから前記第２のＡＰに再関連付けさせるために前記第１のＡＰを前記第２のＡＰと調整するように動作可能な前記ＡＰ調整モジュールが、前記第１のＡＰで前記ネットワークインターフェースを介して送信される第１のビーコンフレームの送信電力を一時的に減少させるように動作可能な前記ＡＰ調整モジュールを備える、請求項２２に記載の第１のＡＰ。
【請求項３０】
前記ＡＰ調整メッセージが、前記第２のＡＰに、前記第２のＡＰによって送信される第２のビーコンフレームの送信電力を増加させるためのインジケータを含む、請求項２９に記載の第１のＡＰ。
【請求項３１】
前記第１のＡＰに通信可能に結合された前記ワイヤレスクライアントデバイスに前記第１のＡＰから前記第２のＡＰに再関連付けさせると決定するように動作可能な前記ＡＰ調整モジュールが、
前記ワイヤレスクライアントデバイスと前記第２のＡＰとの関連付けが、より大きいアプリケーションスループットを前記ワイヤレスクライアントデバイスに提供すると決定するように動作可能な前記ＡＰ調整モジュールを含む、請求項２２に記載の第１のＡＰ。
【請求項３２】
前記第１のＡＰに通信可能に結合された前記ワイヤレスクライアントデバイスに前記第１のＡＰから前記第２のＡＰに再関連付けさせると決定するように動作可能な前記ＡＰ調整モジュールが、
前記ワイヤレスクライアントデバイスと前記第２のＡＰとの関連付けが、前記第１のＡＰと前記第２のＡＰとの間の負荷バランシングを改善すると決定するように動作可能な前記ＡＰ調整モジュールを含む、請求項２２に記載の第１のＡＰ。
【請求項３３】
前記第１のＡＰに通信可能に結合された前記ワイヤレスクライアントデバイスに前記第１のＡＰから前記第２のＡＰに再関連付けさせると決定するように動作可能な前記ＡＰ調整モジュールが、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定するように動作可能な前記ＡＰ調整モジュールを含む、請求項２２に記載の第１のＡＰ。
【請求項３４】
前記ワイヤレスクライアントデバイスと前記第２のＡＰとの前記関連付けが、前記ワイヤレスクライアントデバイスと、前記第２のＡＰに関連付けられた他のワイヤレスクライアントデバイスとの間のピアツーピア通信を可能にすると決定するように動作可能な前記ＡＰ調整モジュールが、
前記ワイヤレスクライアントデバイスと、前記第２のＡＰに関連付けられた少なくとも１つのワイヤレスクライアントデバイスとの間のネットワークトラフィックフローを検出するように動作可能な前記ＡＰ調整モジュールを備える、請求項３３に記載の第１のＡＰ。
【請求項３５】
デバイスのプロセッサによって実行されると、前記デバイスに、
ワイヤレスネットワークの第１のアクセスポイント（ＡＰ）で、前記第１のＡＰに通信可能に結合されたワイヤレスクライアントデバイスに前記第１のＡＰから前記ワイヤレスネットワークの第２のＡＰに再関連付けさせると決定することと、
ＡＰ調整メッセージを前記第１のＡＰから前記第２のＡＰに伝達することと、前記ＡＰ調整メッセージが前記ワイヤレスクライアントデバイスを識別し、再関連付け調整情報を含む、
前記再関連付け調整情報に従って前記ワイヤレスクライアントデバイスの前記第２のＡＰへの前記再関連付けを生じさせるために、前記第１のＡＰを前記第２のＡＰと調整することと
を行わせる命令を記憶する、コンピュータ可読媒体。
【請求項３６】
前記命令が、前記デバイスの前記プロセッサによって実行されると、前記デバイスに、
前記ワイヤレスクライアントデバイスを前記第２のＡＰに再関連付けさせるために少なくとも１つの再関連付け動作を試みさせ、前記再関連付け動作が、
前記第１のＡＰによって送信されるビーコンフレームの送信電力を減少させることと、
前記ワイヤレスクライアントデバイスを前記第２のＡＰに再関連付けさせるために、少なくとも前記第２のＡＰを識別する構成パラメータを前記ワイヤレスクライアントデバイスに送ることと、
前記ワイヤレスクライアントデバイスに新しいネットワーク発見および選択を実行するよう強制するために、関連付け解除命令を前記ワイヤレスクライアントデバイスに送ることと、
前記ワイヤレスクライアントデバイスに前記新しいネットワーク発見および選択を実行するよう強制するために、前記第１のＡＰで、前記ワイヤレスクライアントデバイスからの少なくとも１つの着信パケットをブロックすることと
で構成されるグループから少なくとも１つの動作を含む、請求項３５に記載のコンピュータ可読媒体。
【請求項３７】
前記第１のＡＰによって送信されるビーコンフレームの送信電力を減少させることが、前記第２のＡＰによって送信されるビーコンフレームの送信電力の増加と連携して、前記第１のＡＰによって送信されるビーコンフレームの送信電力を前記減少させることを調整することを含む、請求項３６に記載のコンピュータ可読媒体。
【請求項３８】
前記再関連付け調整情報が、前記再関連付け動作を同期するためのタイミング情報を含む、請求項３６に記載のコンピュータ可読媒体。
【請求項３９】
前記命令が、前記デバイスの前記プロセッサによって実行されると、前記デバイスに、
前記ワイヤレスクライアントデバイスのために実行された以前の再関連付け動作の記録を維持させ、ここにおいて、前記記録が前記ワイヤレスクライアントデバイスを識別し、前記ワイヤレスクライアントデバイスの前記第１のＡＰから前記第２のＡＰへの前記再関連付けを成功裏に生じさせた以前の再関連付け動作を示す、請求項３６に記載のコンピュータ可読媒体。
【請求項４０】
前記記録が、前記以前の再関連付け動作の開始と、前記以前の再関連付け動作の完了との間の時間の量に関連付けられる待ち時間をさらに含む、請求項３９に記載のコンピュータ可読媒体。
【請求項４１】
前記命令が、前記デバイスの前記プロセッサによって実行されると、前記デバイスに、
前記以前の再関連付け動作の前記記録に少なくとも部分的に基づいて、どの再関連付け動作を実行するべきかを選択させる、請求項３９に記載のコンピュータ可読媒体。
【請求項４２】
前記デバイスに、前記ワイヤレスクライアントデバイスの前記再関連付けを生じさせるために前記第１のＡＰを前記第２のＡＰと調整させる前記命令が、前記デバイスの前記プロセッサによって実行されると、前記デバイスに、前記第１のＡＰでネットワークインターフェースを介して送信される第１のビーコンフレームの送信電力を一時的に減少させる命令を備える、請求項３５に記載のコンピュータ可読媒体。
【請求項４３】
前記ＡＰ調整メッセージが、前記第２のＡＰに、前記第２のＡＰによって送信される第２のビーコンフレームの送信電力を増加させるためのインジケータを含む、請求項４２に記載のコンピュータ可読媒体。
【請求項４４】
前記第１のＡＰに通信可能に結合された前記ワイヤレスクライアントデバイスに前記第１のＡＰから前記第２のＡＰに再関連付けさせると前記デバイスに決定させる前記命令が、前記デバイスの前記プロセッサによって実行されると、前記デバイスに、
前記ワイヤレスクライアントデバイスと前記第２のＡＰとの関連付けが、より大きいアプリケーションスループットを前記ワイヤレスクライアントデバイスに提供すると決定させる命令を備える、請求項３５に記載のコンピュータ可読媒体。
【請求項４５】
前記第１のＡＰに通信可能に結合された前記ワイヤレスクライアントデバイスに前記第１のＡＰから前記第２のＡＰに再関連付けさせると前記デバイスに決定させる前記命令が、前記デバイスの前記プロセッサによって実行されると、前記デバイスに、
前記ワイヤレスクライアントデバイスと前記第２のＡＰとの関連付けが、前記第１のＡＰと前記第２のＡＰとの間の負荷バランシングを改善すると決定させる命令を備える、請求項３５に記載のコンピュータ可読媒体。
【請求項４６】
前記第１のＡＰに通信可能に結合された前記ワイヤレスクライアントデバイスに前記第１のＡＰから前記第２のＡＰに再関連付けさせると前記デバイスに決定させる前記命令が、前記デバイスの前記プロセッサによって実行されると、前記デバイスに、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定させる命令を備える、請求項３５に記載のコンピュータ可読媒体。
【請求項４７】
第１のＡＰに通信可能に結合されたワイヤレスクライアントデバイスに前記第１のＡＰからワイヤレスネットワークの第２のＡＰに再関連付けさせると決定するための手段と、
ＡＰ調整メッセージを前記第１のＡＰから前記第２のＡＰに伝達するための手段と、前記ＡＰ調整メッセージが前記ワイヤレスクライアントデバイスを識別し、再関連付け調整情報を含む、
前記再関連付け調整情報に従って前記ワイヤレスクライアントデバイスの前記第２のＡＰへの前記再関連付けを生じさせるために、前記第１のＡＰを前記第２のＡＰと調整するための手段と
を備える、装置。
【請求項４８】
前記ワイヤレスクライアントデバイスを前記第１のＡＰから前記第２のＡＰに再関連付けさせるために、前記第１のＡＰを前記第２のＡＰと調整するための前記手段が、前記ワイヤレスクライアントデバイスを前記第２のＡＰに再関連付けさせるために、少なくとも１つの再関連付け動作を試みるための手段を含み、前記再関連付け動作が、
前記第１のＡＰによって送信されるビーコンフレームの送信電力を減少させることと、
前記ワイヤレスクライアントデバイスを前記第１のＡＰから前記第２のＡＰに再関連付けさせるために、少なくとも前記第２のＡＰを識別する構成パラメータを前記ワイヤレスクライアントデバイスに送ることと、
前記ワイヤレスクライアントデバイスに新しいネットワーク発見および選択を実行するよう強制するために、関連付け解除命令を前記ワイヤレスクライアントデバイスに送ることと、
前記ワイヤレスクライアントデバイスに前記新しいネットワーク発見および選択を実行するよう強制するために、前記第１のＡＰで、前記ワイヤレスクライアントデバイスからの少なくとも１つの着信パケットをブロックすることと
で構成されるグループから少なくとも１つの動作を含む、請求項４７に記載の装置。
【発明の詳細な説明】
【技術分野】
【０００１】
関連出願
[0001]本出願は、２０１３年９月２５日に出願された米国特許出願第１４／０３５，９９１号の優先権利益を主張する。
【０００２】
[0002]本開示の実施形態は、一般に通信ネットワークの分野に関し、より詳細には、ワイヤレスクライアントデバイスとワイヤレスネットワークの所望のアクセスポイントとの強制された関連付けに関する。
【背景技術】
【０００３】
[0003]ワイヤレスネットワーク（たとえば、ワイヤレスローカルエリアネットワーク、すなわちＷＬＡＮ）において、ワイヤレスクライアントデバイス（たとえば、ワイヤレスステーション、すなわちＳＴＡ）は、ワイヤレスアクセスポイント（ＡＰ）とのワイヤレス関連付けを確立する（すなわち、「関連付ける」）ことができる。ワイヤレスネットワークが複数のＡＰを含む場合、ワイヤレスクライアントデバイスは、ワイヤレスクライアントデバイスでＡＰ選択アルゴリズムを使用してＡＰを選択することができる。しかしながら、ワイヤレスクライアントデバイスは、ＡＰを選ぶ際にワイヤレスネットワークのバックホール条件に気付かない場合がある。ＡＰの選択の間に、ワイヤレスクライアントデバイスには知られていない可能性がある、１つまたは複数のＡＰに知られている多くの条件があり得る。
【０００４】
[0004]様々なネットワーク条件が、性能特性（たとえば、スループットなど）を最適化するためにＡＰを選択することに関連している可能性がある。ハイブリッド通信ネットワークは、典型的に、単一の拡張通信ネットワークを形成するために異なるネットワーク技術および媒体を利用するデバイス間でパケットを転送するブリッジ対応デバイスを使用して相互接続され得る複数のネットワーク技術（たとえば、ワイヤレスローカルエリアネットワーク（ＷＬＡＮ）技術、電力線通信技術、イーサネット（登録商標）、等）を備える。たとえば、ハイブリッド通信ネットワークでは、各ハイブリッドデバイスは、バックホール内の様々な条件につながる可能性がある、異なるアクセス技術（たとえば、イーサネット、Ｗｉ−Ｆｉ（登録商標）、同軸、および電力線）を使用して複数のレイヤ２インターフェースをサポートすることができる。電力線通信（ＰＬＣ）およびＷｉ−Ｆｉネットワークは環境からのノイズの影響を受けやすい可能性があり、それは通信接続に関連付けられる性能特性を変化させる場合がある。たとえ、ワイヤレスクライアントデバイスが最初に信号強度に基づいてＡＰを選ぶことができても、バックホール性能、ローディング、またはユーザの動きへの変化の結果、別のＡＰが良い選択になることがあり得る。さらに、各ワイヤレスクライアントデバイスは、異なるハードウェア機能（たとえば、２．４ＧＨｚおよび／または５ＧＨｚサポート、デュアルバンドシングルラジオ、デュアルバンドデュアル同時ラジオ、等）を有する場合がある。ＩＥＥＥ８０２．１１規格は、ＡＰが、異なるＡＰへのワイヤレスクライアントデバイス移行を提案することを可能にするために、基本サービスセット（ＢＳＳ）送信管理メカニズムを定義することができる。しかしながら、ワイヤレスクライアントデバイスは、提案を無視することを選んでもよく、機能を実装しなくてもよい。
【発明の概要】
【０００５】
[0005]ワイヤレスネットワークにおいて、ワイヤレスクライアントデバイスのアクセスポイント調整型再関連付けを実装するために、様々な実施形態が開示される。アクセスポイント調整型再関連付けの前に、ワイヤレスクライアントデバイスは、第１のＡＰにワイヤレスに関連付けられ得る。アクセスポイント調整型再関連付けの後、ワイヤレスクライアントデバイスは、第２のＡＰにワイヤレスに関連付けられ得る。
【０００６】
[0006]一実施形態では、第１のＡＰは、ワイヤレスクライアントデバイスに第２のＡＰに再関連付けさせると決定する。ＡＰ調整メッセージが第１のＡＰから第２のＡＰに伝達される。ＡＰ調整メッセージは、ワイヤレスクライアントデバイスを識別し、再関連付け調整情報を含む。再関連付け調整情報に従ってワイヤレスクライアントデバイスの再関連付けを生じさせるために、第１のＡＰは第２のＡＰと調整する。
【０００７】
[0007]いくつかの実施形態では、方法は、ワイヤレスネットワークの第１のアクセスポイント（ＡＰ）で、第１のＡＰに通信可能に結合されたワイヤレスクライアントデバイスに第１のＡＰからワイヤレスネットワークの第２のＡＰに再関連付けさせると決定することと、ＡＰ調整メッセージを第１のＡＰから第２のＡＰに伝達することと、ＡＰ調整メッセージがワイヤレスクライアントデバイスを識別し、再関連付け調整情報を含む、再関連付け調整情報に従ってワイヤレスクライアントデバイスの第２のＡＰへの再関連付けを生じさせるために、第１のＡＰを第２のＡＰと調整することとを備える。
【０００８】
[0008]いくつかの実施形態では、ワイヤレスクライアントデバイスの再関連付けを生じさせるために第１のＡＰを第２のＡＰと調整することは、ワイヤレスクライアントデバイスに第２のＡＰに再関連付けさせるために少なくとも１つの再関連付け動作を試みることを含み、再関連付け動作は、第１のＡＰによって送信されるビーコンフレームの送信電力を減少させることと、ワイヤレスクライアントデバイスに第２のＡＰに再関連付けさせるために、少なくとも第２のＡＰを識別する構成パラメータをワイヤレスクライアントデバイスに送ることと、ワイヤレスクライアントデバイスに新しいネットワーク発見および選択を実行するよう強制するために、関連付け解除命令をワイヤレスクライアントデバイスに送ることと、ワイヤレスクライアントデバイスに新しいネットワーク発見および選択を実行するよう強制するために、第１のＡＰで、ワイヤレスクライアントデバイスからの少なくとも１つの着信パケットをブロックすることとで構成されるグループから少なくとも１つの動作を含む。
【０００９】
[0009]いくつかの実施形態では、第１のＡＰによって送信されるビーコンフレームの送信電力を減少させることは、第２のＡＰによって送信されるビーコンフレームの送信電力の増加と連携して、第１のＡＰによって送信されるビーコンフレームの送信電力を前記減少させることを調整することを含む。
【００１０】
[0010]いくつかの実施形態では、再関連付け調整情報は、再関連付け動作を同期するためのタイミング情報を含む。
【００１１】
[0011]いくつかの実施形態では、本方法は、ワイヤレスクライアントデバイスのために実行された以前の再関連付け動作の記録を維持することをさらに備え、ここにおいて、本記録はワイヤレスクライアントデバイスを識別し、第１のＡＰから第２のＡＰへのワイヤレスクライアントデバイスの再関連付けを成功裏に生じさせた以前の再関連付け動作を示す。
【００１２】
[0012]いくつかの実施形態では、本記録は、以前の再関連付け動作の開始と、以前の再関連付け動作の完了との間の時間の量に関連付けられる待ち時間をさらに含む。
【００１３】
[0013]いくつかの実施形態では、本方法は、以前の再関連付け動作の記録に少なくとも部分的に基づいて、どの再関連付け動作を実行するべきかを選択することをさらに備える。
【００１４】
[0014]いくつかの実施形態では、ワイヤレスクライアントデバイスの再関連付けを生じさせるために第１のＡＰを第２のＡＰと調整することは、第１のＡＰで、第１のビーコンフレームの送信電力を一時的に減少させることを含む。
【００１５】
[0015]いくつかの実施形態では、ＡＰ調整メッセージは、第２のＡＰに、第２のＡＰによって送信される第２のビーコンフレームの送信電力を増加させるためのインジケータを含む。
【００１６】
[0016]いくつかの実施形態では、ワイヤレスクライアントデバイスの再関連付けを生じさせるために第１のＡＰを第２のＡＰと調整することは、ワイヤレスクライアントデバイスに関連付け解除命令を送ることを含む。
【００１７】
[0017]いくつかの実施形態では、本方法は、第１のＡＰで、ワイヤレスクライアントデバイスからの少なくとも１つの着信パケットをブロックすることをさらに備える。
【００１８】
[0018]いくつかの実施形態では、ワイヤレスクライアントデバイスの再関連付けを生じさせるために、第１のＡＰを第２のＡＰと調整することは、ワイヤレスクライアントデバイスに第２のＡＰに関連付けさせるために、ワイヤレスクライアントデバイスに構成パラメータを送ることを含み、構成パラメータは少なくとも第２のＡＰを識別する。
【００１９】
[0019]いくつかの実施形態では、構成パラメータは、少なくとも第２のＡＰを含む候補ＡＰのリストを含む。
【００２０】
[0020]いくつかの実施形態では、第１のＡＰに通信可能に結合されたワイヤレスクライアントデバイスに第１のＡＰから第２のＡＰに再関連付けさせると決定することは、ワイヤレスクライアントデバイスと第１のＡＰとの間のワイヤレス関連付けに関連する第１の性能特性を決定することと、ワイヤレスクライアントデバイスと第２のＡＰとの間の潜在的なワイヤレス関連付けに関連する第２の性能特性を推定することと、第２の性能特性が第１の性能特性を上回ると決定することとを含む。
【００２１】
[0021]いくつかの実施形態では、ＡＰ調整メッセージを伝達することは、第２の性能特性が第１の性能特性を上回ると決定することに応答する。
【００２２】
[0022]いくつかの実施形態では、第１のＡＰに通信可能に結合されたワイヤレスクライアントデバイスに第１のＡＰから第２のＡＰに再関連付けさせると決定することは、ワイヤレスクライアントデバイスと第２のＡＰとの関連付けが、より大きいアプリケーションスループットをワイヤレスクライアントデバイスに提供すると決定することを含む。
【００２３】
[0023]いくつかの実施形態では、第１のＡＰに通信可能に結合されたワイヤレスクライアントデバイスに第２のＡＰに再関連付けさせると決定することは、ワイヤレスクライアントデバイスと第２のＡＰとの関連付けが、第１のＡＰと第２のＡＰとの間の負荷バランシングを改善すると決定することを含む。
【００２４】
[0024]いくつかの実施形態では、第１のＡＰに通信可能に結合されたワイヤレスクライアントデバイスに第１のＡＰから第２のＡＰに再関連付けさせると決定することは、ワイヤレスクライアントデバイスと第２のＡＰとの関連付けが、ワイヤレスクライアントデバイスと、第２のＡＰに関連付けられた他のワイヤレスクライアントデバイスとの間のピアツーピア通信を可能にすると決定することを含む。
【００２５】
[0025]いくつかの実施形態では、ワイヤレスクライアントデバイスと第２のＡＰとの関連付けが、ワイヤレスクライアントデバイスと、第２のＡＰに関連付けられた他のワイヤレスクライアントデバイスとの間のピアツーピア通信を可能にすると決定することは、ワイヤレスクライアントデバイスと、第２のＡＰに関連付けられた少なくとも１つのワイヤレスクライアントデバイスとの間のネットワークトラフィックフローを検出することを含む。
【００２６】
[0026]いくつかの実施形態では、第１のＡＰに通信可能に結合されたワイヤレスクライアントデバイスに第１のＡＰから第２のＡＰに再関連付けさせると決定することは、第１のＡＰで、第１のＡＰの第１のＡＰ調整モジュールで受信された情報に基づいて、第１のＡＰからワイヤレスクライアントデバイスを関連付け解除すると決定することを含む。
【００２７】
[0027]いくつかの実施形態では、本方法は、第１のＡＰで、ワイヤレスクライアントデバイスが第２のＡＰに関連付けられた状態になっているという確認を受信することをさらに備える。
【００２８】
[0028]いくつかの実施形態では、ワイヤレスネットワークの第１のアクセスポイント（ＡＰ）であって、第１のＡＰは、ワイヤレスネットワークと結合するように動作可能なネットワークインターフェースと、第１のアクセスポイント（ＡＰ）で、ネットワークインターフェースを介して第１のＡＰに通信可能に結合されたワイヤレスクライアントデバイスに第１のＡＰからワイヤレスネットワークの第２のＡＰに再関連付けさせると決定することと、ＡＰ調整メッセージを第１のＡＰから第２のＡＰに伝達することと、ＡＰ調整メッセージがワイヤレスクライアントデバイスを識別し、再関連付け調整情報を含む、再関連付け調整情報に従ってワイヤレスクライアントデバイスの第２のＡＰへの再関連付けを生じさせるために、第１のＡＰを第２のＡＰと調整することとを行うように動作可能なＡＰ調整モジュールとを備える。
【００２９】
[0029]いくつかの実施形態では、ワイヤレスクライアントデバイスの再関連付けを生じさせるために第１のＡＰを第２のＡＰと調整するように動作可能なＡＰ調整モジュールは、ワイヤレスクライアントデバイスに第２のＡＰに再関連付けさせるために少なくとも１つの再関連付け動作を試みるように動作可能なＡＰ調整モジュールを備え、再関連付け動作は、第１のＡＰによって送信されるビーコンフレームの送信電力を減少させることと、ワイヤレスクライアントデバイスに第２のＡＰに再関連付けさせるために、少なくとも第２のＡＰを識別する構成パラメータをワイヤレスクライアントデバイスに送ることと、ワイヤレスクライアントデバイスに新しいネットワーク発見および選択を実行するよう強制するために、関連付け解除命令をワイヤレスクライアントデバイスに送ることと、ワイヤレスクライアントデバイスに新しいネットワーク発見および選択を実行するよう強制するために、第１のＡＰで、ワイヤレスクライアントデバイスからの少なくとも１つの着信パケットをブロックすることとで構成されるグループから少なくとも１つの動作を含む。
【００３０】
[0030]いくつかの実施形態では、第１のＡＰによって送信されるビーコンフレームの送信電力を減少させることは、第２のＡＰによって送信されるビーコンフレームの送信電力の増加と連携して、第１のＡＰによって送信されるビーコンフレームの送信電力を前記減少させることを調整することを含む。
【００３１】
[0031]いくつかの実施形態では、再関連付け調整情報は、再関連付け動作を同期するためのタイミング情報を含む。
【００３２】
[0032]いくつかの実施形態では、ＡＰ調整モジュールは、ワイヤレスクライアントデバイスのために実行された以前の再関連付け動作の記録を維持するようにさらに動作可能であり、ここにおいて、本記録はワイヤレスクライアントデバイスを識別し、第１のＡＰから第２のＡＰへのワイヤレスクライアントデバイスの再関連付けを成功裏に生じさせた以前の再関連付け動作を示す。
【００３３】
[0033]いくつかの実施形態では、本記録は、以前の再関連付け動作の開始と、以前の再関連付け動作の完了との間の時間の量に関連付けられる待ち時間をさらに含む。
【００３４】
[0034]いくつかの実施形態では、ＡＰ調整モジュールは、以前の再関連付け動作の記録に少なくとも部分的に基づいて、どの再関連付け動作を実行するべきかを選択するようにさらに動作可能である。
【００３５】
[0035]いくつかの実施形態では、ワイヤレスクライアントデバイスを第１のＡＰから第２のＡＰに再関連付けさせるために第１のＡＰを第２のＡＰと調整するように動作可能なＡＰ調整モジュールは、第１のＡＰでネットワークインターフェースを介して送信された第１のビーコンフレームの送信電力を一時的に減少させるように動作可能なＡＰ調整モジュールを備える。
【００３６】
[0036]いくつかの実施形態では、ＡＰ調整メッセージは、第２のＡＰに、第２のＡＰによって送信される第２のビーコンフレームの送信電力を増加させるためのインジケータを含む。
【００３７】
[0037]いくつかの実施形態では、第１のＡＰに通信可能に結合されたワイヤレスクライアントデバイスに第１のＡＰから第２のＡＰに再関連付けさせると決定するように動作可能なＡＰ調整モジュールは、ワイヤレスクライアントデバイスと第２のＡＰとの関連付けが、より大きいアプリケーションスループットをワイヤレスクライアントデバイスに提供すると決定するように動作可能なＡＰ調整モジュールを含む。
【００３８】
[0038]いくつかの実施形態では、第１のＡＰに通信可能に結合されたワイヤレスクライアントデバイスに第１のＡＰから第２のＡＰに再関連付けさせると決定するように動作可能なＡＰ調整モジュールは、ワイヤレスクライアントデバイスと第２のＡＰとの関連付けが、第１のＡＰと第２のＡＰとの間の負荷バランシングを改善すると決定するように動作可能なＡＰ調整モジュールを含む。
【００３９】
[0039]いくつかの実施形態では、第１のＡＰに通信可能に結合されたワイヤレスクライアントデバイスに第１のＡＰから第２のＡＰに再関連付けさせると決定するように動作可能なＡＰ調整モジュールは、ワイヤレスクライアントデバイスと第２のＡＰとの関連付けが、ワイヤレスクライアントデバイスと、第２のＡＰに関連付けられた他のワイヤレスクライアントデバイスとの間のピアツーピア通信を可能にすると決定するように動作可能なＡＰ調整モジュールを含む。
【００４０】
[0040]いくつかの実施形態では、ワイヤレスクライアントデバイスと第２のＡＰとの関連付けが、ワイヤレスクライアントデバイスと、第２のＡＰに関連付けられた他のワイヤレスクライアントデバイスとの間のピアツーピア通信を可能にすると決定するように動作可能なＡＰ調整モジュールは、ワイヤレスクライアントデバイスと、第２のＡＰに関連付けられた少なくとも１つのワイヤレスクライアントデバイスとの間のネットワークトラフィックフローを検出するように動作可能なＡＰ調整モジュールを備える。
【００４１】
[0041]いくつかの実施形態では、コンピュータ可読媒体は、デバイスのプロセッサによって実行されると、デバイスに、ワイヤレスネットワークの第１のアクセスポイント（ＡＰ）で、第１のＡＰに通信可能に結合されたワイヤレスクライアントデバイスに第１のＡＰからワイヤレスネットワークの第２のＡＰに再関連付けさせると決定することと、ＡＰ調整メッセージを第１のＡＰから第２のＡＰに伝達することと、ＡＰ調整メッセージがワイヤレスクライアントデバイスを識別し、再関連付け調整情報を含む、再関連付け調整情報に従ってワイヤレスクライアントデバイスの第２のＡＰへの再関連付けを生じさせるために、第１のＡＰを第２のＡＰと調整することとを行わせる命令を記憶する。
【００４２】
[0042]いくつかの実施形態では、本命令は、デバイスのプロセッサによって実行されると、デバイスに、ワイヤレスクライアントデバイスに第２のＡＰに再関連付けさせるために少なくとも１つの再関連付け動作を試みさせ、再関連付け動作は、第１のＡＰによって送信されるビーコンフレームの送信電力を減少させることと、ワイヤレスクライアントデバイスに第２のＡＰに再関連付けさせるために、少なくとも第２のＡＰを識別する構成パラメータをワイヤレスクライアントデバイスに送ることと、ワイヤレスクライアントデバイスに新しいネットワーク発見および選択を実行するよう強制するために、関連付け解除命令をワイヤレスクライアントデバイスに送ることと、ワイヤレスクライアントデバイスに新しいネットワーク発見および選択を実行するよう強制するために、第１のＡＰで、ワイヤレスクライアントデバイスからの少なくとも１つの着信パケットをブロックすることとで構成されるグループから少なくとも１つの動作を含む。
【００４３】
[0043]いくつかの実施形態では、第１のＡＰによって送信されるビーコンフレームの送信電力を減少させることは、第２のＡＰによって送信されるビーコンフレームの送信電力の増加と連携して、第１のＡＰによって送信されるビーコンフレームの送信電力を前記減少させることを調整することを含む。
【００４４】
[0044]いくつかの実施形態では、再関連付け調整情報は、再関連付け動作を同期するためのタイミング情報を含む。
【００４５】
[0045]いくつかの実施形態では、本命令は、デバイスのプロセッサによって実行されると、デバイスに、ワイヤレスクライアントデバイスのために実行された以前の再関連付け動作の記録を維持させ、ここにおいて、本記録はワイヤレスクライアントデバイスを識別し、第１のＡＰから第２のＡＰへのワイヤレスクライアントデバイスの再関連付けを成功裏に生じさせた以前の再関連付け動作を示す。
【００４６】
[0046]いくつかの実施形態では、本記録は、以前の再関連付け動作の開始と、以前の再関連付け動作の完了との間の時間の量に関連付けられる待ち時間をさらに含む。
【００４７】
[0047]いくつかの実施形態では、本命令は、デバイスのプロセッサによって実行されると、デバイスに、以前の再関連付け動作の記録に少なくとも部分的に基づいて、どの再関連付け動作を実行するべきかを選択させる。
【００４８】
[0048]いくつかの実施形態では、デバイスに、ワイヤレスクライアントデバイスの再関連付けを生じさせるために第１のＡＰを第２のＡＰと調整させる命令は、デバイスのプロセッサによって実行されると、デバイスに、第１のＡＰでネットワークインターフェースを介して送信される第１のビーコンフレームの送信電力を一時的に減少させる命令を備える。
【００４９】
[0049]いくつかの実施形態では、ＡＰ調整メッセージは、第２のＡＰに、第２のＡＰによって送信される第２のビーコンフレームの送信電力を増加させるためのインジケータを含む。
【００５０】
[0050]いくつかの実施形態では、デバイスに、第１のＡＰに通信可能に結合されたワイヤレスクライアントデバイスに第１のＡＰから第２のＡＰに再関連付けさせると決定する命令は、デバイスのプロセッサによって実行されると、デバイスに、ワイヤレスクライアントデバイスと第２のＡＰとの関連付けが、より大きいアプリケーションスループットをワイヤレスクライアントデバイスに提供すると決定させる命令を備える。
【００５１】
[0051]いくつかの実施形態では、第１のＡＰに通信可能に結合されたワイヤレスクライアントデバイスに第１のＡＰから第２のＡＰに再関連付けさせるとデバイスに決定させる命令は、デバイスのプロセッサによって実行されると、デバイスに、ワイヤレスクライアントデバイスと第２のＡＰとの関連付けが、第１のＡＰと第２のＡＰとの間の負荷バランシングを改善すると決定させる命令を備える。
【００５２】
[0052]いくつかの実施形態では、第１のＡＰに通信可能に結合されたワイヤレスクライアントデバイスに第１のＡＰから第２のＡＰに再関連付けさせるとデバイスに決定させる命令は、デバイスのプロセッサによって実行されると、デバイスに、ワイヤレスクライアントデバイスと第２のＡＰとの関連付けが、ワイヤレスクライアントデバイスと、第２のＡＰに関連付けられた他のワイヤレスクライアントデバイスとの間のピアツーピア通信を可能にすると決定させる命令を備える。
【００５３】
[0053]いくつかの実施形態では、装置は、第１のＡＰに通信可能に結合されたワイヤレスクライアントデバイスに第１のＡＰからワイヤレスネットワークの第２のＡＰに再関連付けさせると決定するための手段と、ＡＰ調整メッセージを第１のＡＰから第２のＡＰに伝達するための手段と、ＡＰ調整メッセージがワイヤレスクライアントデバイスを識別し、再関連付け調整情報を含む、再関連付け調整情報に従ってワイヤレスクライアントデバイスの第２のＡＰへの再関連付けを生じさせるために、第１のＡＰを第２のＡＰと調整するための手段とを備える。
【００５４】
[0054]いくつかの実施形態では、ワイヤレスクライアントデバイスを第１のＡＰから第２のＡＰに再関連付けさせるために、第１のＡＰを第２のＡＰと調整するための手段は、ワイヤレスクライアントデバイスに第２のＡＰに再関連付けさせるために、少なくとも１つの再関連付け動作を試みるための手段を含み、再関連付け動作は、第１のＡＰによって送信されるビーコンフレームの送信電力を減少させることと、ワイヤレスクライアントデバイスを第１のＡＰから第２のＡＰに再関連付けさせるために、少なくとも第２のＡＰを識別する構成パラメータをワイヤレスクライアントデバイスに送ることと、ワイヤレスクライアントデバイスに新しいネットワーク発見および選択を実行するよう強制するために、関連付け解除命令をワイヤレスクライアントデバイスに送ることと、ワイヤレスクライアントデバイスに新しいネットワーク発見および選択を実行することを強制するために、第１のＡＰで、ワイヤレスクライアントデバイスからの少なくとも１つの着信パケットをブロックすることとで構成されるグループから少なくとも１つの動作を含む。
【００５５】
[0055]本実施形態は、添付の図面を参照することによってより良く理解され得、多数の目的、特徴、および利点が当業者に明らかにされ得る。
【図面の簡単な説明】
【００５６】
【図１】[0056]ワイヤレスネットワークの例示的なシステム図。
【図２】[0057]ワイヤレスネットワークの第１のＡＰから第２のＡＰへのワイヤレスクライアントデバイスの再関連付けを実装するための例示的な動作の流れ図。
【図３】[0058]ワイヤレスクライアントデバイスをワイヤレスネットワークの第１のＡＰから第２のＡＰに再関連付けさせるための、ワイヤレスネットワークにおけるネットワーク条件を検出するための例示的な概念図。
【図４】[0059]バックホール条件に基づいて、ワイヤレスクライアントデバイスを、ハイブリッドネットワークの第１のＡＰから第２のＡＰに再関連付けさせるための例示的なシステム図。
【図５】[0060]ワイヤレスネットワークの第１のＡＰから第２のＡＰに送られた、ＡＰ調整メッセージの例示的な概念図。
【図６】[0061]第１のワイヤレスクライアントデバイスと、第２のＡＰに関連付けられた第２のワイヤレスクライアントデバイスとの間のネットワークトラフィックフローを検出することに基づく、第１のワイヤレスクライアントデバイスの、第１のＡＰから第２のＡＰへの再関連付けの例示的な概念図。
【図７】[0062]ワイヤレスネットワークにおいて、ワイヤレスクライアントデバイスを第１のＡＰから第２のＡＰに再関連付けさせるための、ワイヤレスクライアントデバイス、第１のＡＰ、および第２のＡＰの間のメッセージ交換の例示的なシーケンス図。
【図８】[0063]第１のワイヤレスクライアントデバイスと、第２のＡＰに関連付けられた第２のワイヤレスクライアントデバイスとの間のネットワークトラフィックを検出することに基づいて、第１のワイヤレスクライアントデバイスを第１のＡＰから第２のＡＰに再関連付けさせるための例示的な動作の流れ図。
【図９】[0064]ワイヤレスネットワークのネットワークメモリに記憶された複数の技法のうちの１つを利用することによって、第１のワイヤレスクライアントデバイスを第１のＡＰから第２のＡＰに再関連付けさせるための例示的な動作の流れ図。
【図１０】[0065]本開示による様々な実施形態を実装することが可能な電子デバイスの一実施形態の例示的なブロック図。
【発明を実施するための形態】
【００５７】
[0066]以下の記述は、本開示の技法を具現化する、例示的なシステム、方法、技法、命令シーケンス、およびコンピュータプログラム製品を含む。しかしながら、記載される実施形態は、これらの特定の詳細なしに実施され得ることが理解される。たとえば、例は、単一のワイヤレスクライアントデバイスを第１のＡＰから第２のＡＰに再関連付け（遷移、切替え、移動、再配置、ハンドオーバ等とも呼ばれ得る）することを参照するが、実施形態はそれに限定されない。いくつかの実施形態では、第１および第２のＡＰは、複数のワイヤレスクライアントデバイスを第１のＡＰから第２のＡＰに、または複数のＡＰ間で再関連付けするために調整することができる。他の例では、よく知られている命令例、プロトコル、構造、および技法は、記述を曖昧にしないために詳細に示されていない。
【００５８】
[0067]ワイヤレスクライアントデバイスは、ワイヤレスネットワークの第１のＡＰに通信可能に結合され（たとえば、ワイヤレスに関連付けられ、または関連付けプロトコルに従ってワイヤレス関連付けを有し）得る。第１のＡＰは、ワイヤレスクライアントデバイスにとって利用可能なものよりも多くの、バックホール条件または他の利用可能なアクセスポイントに関する情報へのアクセスを有し得る。たとえば、第１のＡＰと第２のＡＰは、第１および第２のＡＰの各々によって決定されたネットワーク条件に関する情報を交換することができる（直接、または中央コントローラを通じて）。本開示によれば、第１のＡＰは、ワイヤレスクライアントデバイスを、ワイヤレスネットワークの第１のＡＰから第２のＡＰに再関連付けする（移動、転送、再配置、遷移、切替え、再位置付け、ハンドオーバ等とも呼ばれ得る）と決定することができる。第１のＡＰは、再関連付けは、これに限定されないが、バックホール容量、ワイヤレスリソース利用、ピアツーピア通信等を含む、様々な要因に基づいて発生するべきであると決定することができる。
【００５９】
[0068]本開示では、ワイヤレスクライアントデバイスの再関連付けは、ワイヤレスクライアントデバイスの第１のＡＰから第２のＡＰへのワイヤレス関連付けにおける変化を指す。再関連付けの前に、ワイヤレスクライアントデバイスは、第１のＡＰにワイヤレスに関連付けられ得る。再関連付けの後、ワイヤレスクライアントデバイスは、第２のＡＰにワイヤレスに関連付けられ得る。いくつかの実施形態では、再関連付けはまた、ワイヤレスクライアントデバイスと第２のＡＰとの間の関連付けプロトコルメッセージの交換を含み得る。再関連付けは、必ずしもワイヤレスクライアントデバイスの物理的または地理的な移動を含むとは限らない。
【００６０】
[0069]ワイヤレスネットワークにおいて再関連付けが実行され得る方法がいくつかある。再関連付けは、ワイヤレスクライアントデバイスへのハンドオーバまたはハンドオフメッセージなどの、第１のＡＰからクライアントデバイスへの任意のメッセージを必ずしも含むとは限らない点に留意されたい。本明細書に記載の多くの例では、第１および第２のＡＰは、ワイヤレスクライアントデバイスが、ワイヤレスクライアントデバイスの第１のＡＰから第２のＡＰへの再関連付けを効果的にもたらすクライアント側ＡＰ選択を独立して実行するように、ワイヤレス環境を管理する。
【００６１】
[0070]ＡＰは、ワイヤレスクライアントデバイスを第１のＡＰから第２のＡＰに再関連付けさせるために、再関連付け動作を調整することができる。第１および第２のＡＰは、ワイヤレスクライアントデバイスに、所望の再関連付けを効果的にもたらす第２のＡＰのクライアント側ＡＰ選択を実行させるために、再関連付け動作を調整することができる。さらに、第１のＡＰおよび／または第２のＡＰは、特定のクライアントデバイスのために、どの再関連付け動作がサポートされるか、および／または効果的かの履歴、ならびに以前の再関連付けに関連付けられる待ち時間を維持することができる。待ち時間情報は、以前の再関連付け動作の開始と、以前の再関連付け動作の完了との間の時間の量を示し得る。
【００６２】
[0071]図１は、ワイヤレスネットワーク１００を含む例示的なシステム図を示している。ワイヤレスネットワーク１００は、ワイヤレスクライアントデバイス１７０（たとえば、ラップトップ、コンピュータ、センサ、カメラ、サーモスタット、移動局、ワイヤレスデバイス、スマートフォン等）、第１のＡＰ１１０、および第２のＡＰ１２０を含む。ワイヤレスネットワーク１００は、ローカルエリアネットワーク（ＬＡＮ）バックホール１３０によってサービスされ得る。ＬＡＮバックホール１３０は、ゲートウェイ１５０を介してワイドエリアネットワーク（ＷＡＮ）１６０に通信可能に結合され得る。最初に、図１において、ワイヤレスクライアントデバイス１７０が、第１のワイヤレスリンク１８１を介して第１のＡＰ１１０に関連付けられる。本明細書では、ワイヤレスリンク、ワイヤレス接続、ワイヤレス関連付けなどの用語は、２つのデバイス間のワイヤレス通信関係を指すために互換可能に使用され得る。
【００６３】
[0072]いくつかの例では、第１のＡＰと第２のＡＰとの間の調整は、ワイヤレスクライアントデバイスを第１のＡＰから第２のＡＰに再関連付けさせることによって、ワイヤレスネットワークにおいてワイヤレスクライアントデバイスがより良くサービスされる条件の識別において支援し得る。第１のＡＰ１１０および第２のＡＰ１２０は、ワイヤレスクライアントデバイス１７０が第２のＡＰ１２０によってより良くサービスされるかどうかを決定するために、情報を交換することができる。たとえば、ＡＰ１１０、１２０は、ネットワークトラフィックフロー、バックホールネットワーク条件、またはネットワーク帯域幅可用性についての情報を交換することができる。ＡＰ１１０、１２０は、ワイヤレスクライアントデバイス１７０、または各ＡＰに関連付けられたいくつかのワイヤレスクライアントデバイスにサービスするために、ワイヤレス容量に関する情報を交換することができる（以下で図３に記載されるように）。バックホール条件が、第２のＡＰ１２０（第１のＡＰ１１０ではなく）を介してワイヤレスクライアントデバイスのためのより大きいスループットをサポートする場合、ワイヤレスクライアントデバイスの第１のＡＰ１１０から第２のＡＰ１２０への再関連付けが開始され得る。同様に、第１のＡＰ１１０がオーバーロードされている（たとえば、多数のワイヤレスクライアントデバイスに関連付けられている）場合、第１のＡＰ１１０と第２のＡＰ１２０とは、ワイヤレスクライアントデバイスを第２のＡＰ１２０に再関連付けするために調整することができる。いくつかの実施形態では、ＡＰ１１０、１２０は、ＡＰ１１０、１２０の各々からアプリケーションサーバへの可能なスループットなど（限定はしないが、ＷＡＮ１６０を介するリソースなど）の、アプリケーションスループットについての情報を交換することができる。たとえば、第２のＡＰ１２０は、ワイヤレスクライアントデバイス１７０に、第１のＡＰ１１０によって提供されるアプリケーションスループットよりも大きい（ＬＡＮバックホール１３０を介したＷＡＮ１６０への）アプリケーションスループットを提供することができる。
【００６４】
[0073]ＡＰ１１０、１２０はまた、ワイヤレスクライアントデバイス１７０と、第２のＡＰ１２０に関連付けられた１つまたは複数の他のワイヤレスクライアントデバイスとの間の任意の既存のネットワークトラフィックについての情報を交換することができる（以下で図６に記載されるように）。別のＡＰと交換される情報に基づいて、第１のＡＰ１１０は、ワイヤレスクライアントデバイス１７０は第２のＡＰ１２０と再関連付けするべきであると決定することができる。たとえば、第１のワイヤレスクライアントデバイス（ワイヤレスクライアントデバイス１７０など）が、第２のＡＰ１２０に関連付けられた第２のワイヤレスクライアントデバイス（図示せず）に主にトラフィックを向けている場合、第１のワイヤレスクライアントデバイスを第２のＡＰ１２０と再関連付けさせることが望ましい場合がある。いくつかの実装形態では、ＡＰ１１０、１２０は、同じＡＰと再関連付けするために複数のワイヤレスクライアントデバイスを統合することができ、次いで、それらは直接ピアツーピア通信に従事することができる。第１のＡＰと第２のＡＰとの間の再関連付け動作を調整することによって、ピアワイヤレスクライアントデバイスは、同じアクセスポイントに関連付けられ得る。第１のＡＰと第２のＡＰとの間の調整によって、ピアワイヤレスクライアントデバイスが同じ第１のＡＰにすでに関連付けられている場合、ピアワイヤレスクライアントデバイスが第１のＡＰから第２のＡＰに再関連付けすることを防止することができる。したがって、第１のＡＰと第２のＡＰとは、ピアツーピアトラフィックを有するデバイスが同じアクセスポイントに関連付けられる可能性を高めるために、情報を共有することができる。
【００６５】
[0074]ワイヤレスクライアントデバイス１７０を第１のＡＰ１１０から第２のＡＰ１２０に再関連付けさせると決定すると、第１のＡＰ１１０は、ＡＰ調整メッセージ（以下で図５に記載されるように）を第２のＡＰ１２０に伝達することができる。ＡＰ調整メッセージは、ワイヤレスクライアントデバイス１７０についての情報（たとえば、識別子、またはワイヤレスクライアントデバイス１７０に関する他の情報）と、第２のＡＰ１２０で再関連付け動作を調整するための１つまたは複数の命令とを含み得る。いくつかの実装形態では、ＡＰ調整メッセージは、ワイヤレスネットワークのワイヤレスアクセスポイント（ＡＰ１１０、１２０など）間で直接交換され得る点に留意されたい。他の実装形態では、ＡＰは、中央コントローラを介して伝達することによって調整することができる。他の実装形態では、ＡＰのうちの１つは、ＡＰのグループ間で再関連付け動作を調整する目的のための、指定されたマスタＡＰ、または集中ＡＰであり得る。
【００６６】
[0075]本開示は、ワイヤレスクライアントデバイスの第１のＡＰから第２のＡＰへの再関連付けを生じさせるためにＡＰによって使用され得る、いくつかの再関連付け動作を含む。すべての再関連付け動作（再関連付け技法または手順とも呼ばれる）が各ワイヤレスクライアントデバイスによってサポートされるとは限らない。たとえば、ＩＥＥＥ８０２．１１ｖまたは他のプロトコルでは、第１のＡＰは、ワイヤレスクライアントデバイスに第２のＡＰに再関連付けするよう単に要求することができる。ＩＥＥＥ８０２．１１ｖ構成メッセージは、別のＡＰに再関連付けするために、ワイヤレスクライアントデバイスへの提案として、１つまたは複数の他のＡＰのリスト（たとえば、第２のＡＰを含む）を含み得る。しかし、ワイヤレスクライアントデバイスがＩＥＥＥ８０２．１１ｖプロトコルをサポートしない、または提案を無視することを選ぶ場合、再関連付けは発生し得ない。別の再関連付け動作は、第１のＡＰがワイヤレスクライアントデバイスのハード接続解除を強制することなどの、ネットワーク側動作を含み得る。第１のＡＰは、ワイヤレスクライアントデバイスに別のＡＰを選択させるために、ワイヤレスクライアントデバイスのためのトラフィック（少なくとも１つの着信パケット）をブロックすることができる。別の再関連付け動作では、第１のＡＰは、ワイヤレスクライアントデバイスが、第１のＡＰに関連付けられる減少された信号強度を感知して、第２のＡＰを独立して選択できるように、ビーコン送信の電力を減少させることができる。
【００６７】
[0076]本開示に記載されるいくつかの再関連付け動作では、再関連付け動作の成功は、第１のＡＰの再関連付け動作を第２のＡＰとの再関連付け動作と調整することによって改善され得る。たとえば、第１のＡＰがビーコン送信の電力を減少させる例では、第２のＡＰを選択するようワイヤレスクライアントデバイスをさらに促すために、第２のＡＰが、第２のＡＰからのビーコン送信の電力を同時に増加させることが可能であり得る。いくつかの実装形態では、信号強度メトリクスに基づいてワイヤレスクライアントデバイスに第２のＡＰを選択させるために、第１および第２のＡＰは、ワイヤレスクライアントデバイスを第１のＡＰから強制的に関連付け解除しながらビーコンフレームの電力レベルを調整することができる。
【００６８】
[0077]図１に戻ると、第１のＡＰ１１０および第２のＡＰ１２０は、ワイヤレスクライアントデバイス１７０を第１のＡＰ１１０から第２のＡＰ１２０に再関連付けするために調整することができる。再関連付けが完了すると、ワイヤレスクライアントデバイス１７０は、もはや第１のＡＰ１１０を有する第１のワイヤレスリンク１８１を有することができないが、ワイヤレスクライアントデバイス１７０と第２のＡＰ１２０との間の第２のワイヤレスリンク１８２を有することになる。再関連付けは、第１のワイヤレスリンク１８１の代わりに第２のワイヤレスリンク１８２をもたらすネットワーク再選択プロセス（たとえば、スキャンおよび関連付け）をワイヤレスクライアントデバイス１７０が実行することを含み得る。前述のように、ワイヤレスクライアントデバイス１７０に第１のＡＰ１１０ではなく第２のＡＰ１２０を選択させるために、第１のＡＰ１１０および第２のＡＰ１２０が同時に実行し得るいくつかの技法または再関連付け動作があり得る。
【００６９】
[0078]いくつかの実施形態では、ワイヤレスクライアントデバイスのための以前の再関連付け動作の記録は、ワイヤレスクライアントデバイス１７０の第１のＡＰ１１０から第２のＡＰ１２０への再関連付けを成功裏に生じさせた以前の再関連付け動作を識別するために、ネットワークメモリで維持され得る。いくつかの実装形態では、以前の再関連付け動作に関連付けられる待ち時間は、以前の再関連付け動作の記録とともに記憶され得る。たとえば、第１のＡＰ１１０は、特定の再関連付け技法の開始から、ワイヤレスクライアントデバイス１７０が再関連付け完了したという第２のＡＰ１２０からの確認の受信までの待ち時間を記録することができる。第１のＡＰ１１０は、たとえば、ワイヤレスクライアントデバイス１７０が複数の再関連付け技法をサポートすることを決定することができ、また、特定の再関連付け技法の以前の使用に基づいて、より低い平均待ち時間に関連付けられる特定の再関連付け技法を選択することができる。
【００７０】
[0079]いくつかの実装形態では、第１のＡＰ１１０と第２のＡＰ１２０とのうちの１つまたは両方は、以前の再関連付け動作についての情報をそれぞれのメモリに記憶することができる。他の実装形態では、第１のＡＰ１１０および／または第２のＡＰ１２０は、再関連付け動作についての情報を、ワイヤレスネットワーク１００の中央ＡＰに記憶することができる。第１のＡＰ１１０および／または第２のＡＰ１２０は、ワイヤレスクライアントデバイス１７０の後続の再関連付けにおいて実行されるべき動作のセットを決定するために、ワイヤレスクライアントデバイス１７０の以前の再関連付け動作の履歴に関する情報を利用することができる（以下で図９に記載されるように）。
【００７１】
[0080]図２は、ワイヤレスネットワークの第１のＡＰから第２のＡＰへのワイヤレスクライアントデバイスの再関連付けをもたらす例示的な動作の流れ図２００を示している。
【００７２】
[0081]ブロック２０２で、ワイヤレスネットワークの第１のＡＰで、ワイヤレスクライアントデバイスをワイヤレスネットワークの第１のＡＰから第２のＡＰに再関連付けさせると決定される。第１のＡＰは、バックホール容量、ワイヤレスリソース利用、ピアツーピア通信、または他の条件に少なくとも部分的に基づいて、ワイヤレスクライアントデバイスに第２のＡＰに再関連付けさせると決定することができる。
【００７３】
[0082]ブロック２０４で、ＡＰ調整メッセージが第１のＡＰから第２のＡＰに伝達される。ＡＰ調整メッセージはワイヤレスクライアントデバイスを識別し、第１のＡＰから第２のＡＰへの再関連付けを調整するための調整情報を含む。一実装形態では、ＡＰ調整情報は、ワイヤレスクライアントデバイスのデバイス識別子を含む。ＡＰ調整メッセージはまた、タイミング情報、またはワイヤレスクライアントデバイスに第２のＡＰに再関連付けさせるために第１のＡＰによって実行される選択された再関連付け動作に関する他の調整情報を含む。
【００７４】
[0083]ブロック２０８で、調整情報に従ってワイヤレスクライアントデバイスの再関連付けを生じさせるために、第１のＡＰは第２のＡＰと調整する。たとえば、第１のＡＰは、第２のＡＰに、第２のＡＰから送信されるビーコンフレームの送信電力を一時的に増加させるよう指示することができる。いくつかの実施形態では、第１のＡＰは、第１のＡＰから送信されるビーコンフレームの送信電力を減少させることができる。第１のＡＰは、ワイヤレスクライアントデバイスの関連付け解除を生じさせて、ワイヤレスクライアントデバイスに利用可能なＡＰの再スキャンを促すことができる。第２のＡＰからより大きい電力を有するビーコンフレーム（たとえば、より大きい受信信号強度インジケータ（ＲＳＳＩ））を検出すると、ワイヤレスクライアントデバイスは第２のＡＰと関連付けることができ、第１のＡＰから第２のＡＰへの再関連付けを効果的にもたらす。再関連付け動作を調整することによって、第１のＡＰおよび第２のＡＰは、レガシーワイヤレスクライアントデバイスに、レガシーワイヤレスクライアントデバイスへの特定の再関連付けコマンドなしに、適切なＡＰを選択させることができる。さらに、送信電力調整、または他の再関連付け動作が、一時的に、または同時に実行され得るように、ＡＰ間で再関連付け動作を同期させるためにタイミング情報が使用され得る。
【００７５】
[0084]図３は、図１の対応する特徴と類似した、ワイヤレスクライアントデバイスをワイヤレスネットワーク３００の第１のＡＰ３１０から第２のＡＰ３２０に再関連付けさせるための、ワイヤレスネットワークにおけるネットワーク条件を検出するための例示的な概念図を示している。ワイヤレスネットワーク３００は、第１のＡＰ調整モジュール３１１を有する第１のＡＰ３１０と、第２のＡＰ調整モジュール３１３を有する第２のＡＰ３２０と、ワイヤレスクライアントデバイス３７０、３７１、３７３、３７５とを含み得る。ＡＰ３１０、３２０は、それぞれＡＰ１１０、１２０と同様であり得る。同様に、ワイヤレスクライアントデバイス３７０、３７１、３７３、３７５は、ワイヤレスクライアントデバイス１７０と同様であり得る。図３では、ワイヤレスクライアントデバイス３７０、３７１、３７３、および３７５は、それぞれワイヤレスリンク３８１、３８３、３８５、および３８７を介して第１のＡＰ３１０に関連付けられる。図３は、ワイヤレスクライアントデバイス３７０の第１のＡＰ３１０から第２のＡＰ３２０への再関連付けの完了後にもたらす、ワイヤレスクライアントデバイス３７０と第２のＡＰ３２０との間のワイヤレスリンク３８２を示している。
【００７６】
[0085]ワイヤレスネットワーク３００は、バックホールＬＡＮ３３０によってサービスされ得る。ＬＡＮ３３０は、ゲートウェイ３５０を介してＷＡＮ３６０にインターフェースされ得る。ＡＰ３１０、３２０は、それぞれバックホールリンク３４０、３４２を介してＬＡＮ３３０に通信可能に結合され得る。ＡＰ調整モジュール３１１、３１３は、ワイヤレスクライアントデバイス３７０を第１のＡＰ３１０から第２のＡＰ３２０に再関連付けするために、相互に調整することができる。ＡＰ調整モジュール３１１、３１３は、ソフトウェア、ハードウェア、またはソフトウェアとハードウェアとの組合せとして実装され得る点に留意されたい。たとえば、ＡＰ調整モジュール３１１、３１３は、プロトコルスタックのプロトコルレイヤとして実装され得る。
【００７７】
[0086]いくつかの実装形態では、第１のＡＰ調整モジュール３１１は、ワイヤレスクライアントデバイス３７０が第１のＡＰ３１０から第２のＡＰ３２０に再関連付けするべきであると決定するために、第２のＡＰ調整モジュール３１３と調整することができる。たとえば、第１のＡＰ調整モジュール３１１は、ワイヤレスクライアントデバイス３７０は、第２のＡＰ３２０とのワイヤレスリンク（すなわち、ワイヤレスリンク３８２）上で、より大きいスループットを達成し得るか、より少ないワイヤレス媒体利用を必要とし得ると決定することができる。第１のＡＰ調整モジュール３１１はまた、ワイヤレスクライアントデバイス３７０の第２のＡＰ３２０との関連付けが、ワイヤレスネットワーク３００のＡＰ３１０、３２０の間により良い負荷バランシングをもたらし得ると決定することができる。たとえば、第１のＡＰ調整モジュール３１１は、第２のＡＰ３２０に関連付けられたワイヤレスクライアントデバイスの数についての情報を受信することができる。第１のＡＰ調整モジュール３１１は、第２のＡＰ３２０でのより少数のデバイスのより少ない競合と比較して、第１のＡＰ３１０でのワイヤレスクライアントデバイス３７０、３７１、３７３、３７５によってより大きい競合を決定することができる。次いで、第１のＡＰ調整モジュール３１１は、ワイヤレスクライアントデバイス３７０の第２のＡＰ３２０との関連付けが、ＡＰ３１０、３２０の間により良い負荷バランシングをもたらすと決定することができる。
【００７８】
[0087]一実装形態では、第１のＡＰ調整モジュール３１１は、ワイヤレスクライアントデバイス３７０が第２のＡＰ３２０に関連付けられた場合に、ワイヤレスクライアントデバイス３７０によって利用されるスループットおよび媒体時間を推定することができる。次いで、第１のＡＰ調整モジュール３１１は、ワイヤレスクライアントデバイス３７０の第２のＡＰ３２０との関連付けが、ワイヤレスリンク３８２上で、より大きいスループットを提供するか、または利用されるより少ない媒体時間をもたらすかどうかを決定することができる。たとえば、第１のＡＰ調整モジュール３１１は、ワイヤレスクライアントデバイス３７０から、第１のＡＰ３１０とワイヤレスクライアントデバイス３７０との間のチャネル条件（たとえば、チャネルノイズ、ワイヤレスクライアントデバイス３７０でのネットスループット、等）についての情報を受信することができる。第１のＡＰ調整モジュール３１１はまた、ワイヤレスクライアントデバイス３７０によって検出された代替ＡＰ（たとえば、第２のＡＰ３２０）についての情報、および第２のＡＰ３２０からのビーコンフレームの受信信号強度を受信することができる。第１のＡＰ調整モジュール３１１は、ワイヤレスクライアントデバイス３７０からのビーコンレポート、ワイヤレスクライアントデバイス３７０上で実行しているアプリケーション等を使用して、ワイヤレスクライアントデバイス３７０から情報を受信することができる。
【００７９】
[0088]第１のＡＰ調整モジュール３１１は、それぞれのＡＰのバックホールリンクの特性を決定するために、１つまたは複数のＡＰのＡＰ調整モジュール（たとえば、第２のＡＰ３２０の第２のＡＰ調整モジュール３１３）と調整することができる。たとえば、第１のＡＰ調整モジュール３１１は、第２のＡＰ調整モジュール３１３から、バックホールリンク３４２上の利用可能なネットワーク帯域幅についての情報を受信することができる。第１のＡＰ調整モジュール３１１はまた、第２のＡＰ３２０に関連付けられたワイヤレスクライアントデバイスの数、ワイヤレスクライアントデバイスの各々へのスループット、および、第２のＡＰ３２０がワイヤレスクライアントデバイス３７０に関連付けることができるかどうかについての情報を受信することができる。
【００８０】
[0089]ワイヤレスクライアントデバイス３７０から受信された情報、および第２のＡＰ調整モジュール３１３から受信された情報に基づいて、第１のＡＰ調整モジュール３１１は、ワイヤレスクライアントデバイス３７０を第１のＡＰ３１０から第２のＡＰ３２０に再関連付けさせると決定することができる。たとえば、第１のＡＰ調整モジュール３１１は、ワイヤレスクライアントデバイス３７０が第２のＡＰ３２０に関連付けられていることに起因し得る、予測されるスループット利得を計算することができる。いくつかの実装形態では、スループット利得が大幅ではない（たとえば、あらかじめ定められたしきい値を上回らない）場合、第１のＡＰ調整モジュール３１１は、再関連付けさせないと決定することができる。第１のＡＰ調整モジュール３１１はまた、ワイヤレスクライアントデバイス３７０の第２のＡＰ３２０との関連付けが、ワイヤレスネットワーク３００におけるネットワークリソースのより低い利用（たとえば、より短いデータパス、より少数のホップ、等）をもたらすかどうかを決定することができる。ワイヤレスクライアントデバイス３７０の第２のＡＰ３２０との関連付けがネットワークリソースのより低い利用をもたらすと決定すると、第１のＡＰ調整モジュール３１１は、ワイヤレスクライアントデバイス３７０を第１のＡＰ３１０から第２のＡＰ３２０に再関連付けすると決定することができる。
【００８１】
[0090]別の実装形態では、第１のＡＰ調整モジュール３１１は、ワイヤレスネットワーク３００におけるＡＰ３１０、３２０の間のアンバランスな負荷を検出することができる。第１のＡＰ調整モジュール３１１は、ワイヤレス通信媒体のチャネル利用があらかじめ定義されたしきい値を上回るレベルに達する場合、アンバランスな負荷を検出することができる。たとえばワイヤレスクライアントデバイス３７０、３７１、３７３、および３７５が第１のＡＰ３１０に関連付けられている場合、第１のＡＰ３１０によるワイヤレス通信媒体のチャネル利用はあらかじめ定義されたしきい値よりも大きくなる場合がある。第１のＡＰ調整モジュール３１１は、ワイヤレスクライアントデバイス３７０、３７１、３７３、および３７５の各々によって検出された代替ＡＰについての情報を受信することができる。たとえば、第１のＡＰ調整モジュール３１１は、ワイヤレスクライアントデバイス３７０によって検出された代替ＡＰ、およびワイヤレス媒体を介する通信のために代替ＡＰによって利用される直交チャネルについての情報を受信することができる。次いで、第１のＡＰ調整モジュール３１１は、第１のＡＰ３１０によって利用されるワイヤレスチャネルとは異なるワイヤレスチャネルを利用するＡＰ（たとえば、第２のＡＰ３２０）を決定することができる。たとえば、異なるワイヤレスチャネルは直交であり得る。
【００８２】
[0091]第１のＡＰ調整モジュール３１１は、ワイヤレスクライアントデバイス３７０からのビーコンレポート、ワイヤレスクライアントデバイス３７０上で実行しているアプリケーション等を使用して、ワイヤレスクライアントデバイス３７０から情報を受信することができる。第１のＡＰ調整モジュール３１１は、バックホールリンク３４２の特性を決定するために、第２のＡＰ３２０の第２のＡＰ調整モジュール３１３と調整することができる。たとえば、第１のＡＰ調整モジュール３１１は、第２のＡＰ調整モジュール３１３から、バックホールリンク３４２上の利用可能なネットワーク帯域幅についての情報を受信することができる。第１のＡＰ調整モジュール３１１はまた、第２のＡＰ３２０に関連付けられたワイヤレスクライアントデバイスの数、ワイヤレスクライアントデバイスの各々へのスループット、および、第２のＡＰ３２０がワイヤレスクライアントデバイス３７０に関連付けることができるかどうかについての情報を受信することができる。
【００８３】
[0092]ワイヤレスクライアントデバイス３７０から受信された情報、および／または第２のＡＰ調整モジュール３１３から受信された情報に基づいて、第１のＡＰ調整モジュール３１１は、ワイヤレスクライアントデバイス３７０の第１のＡＰ３１０から第２のＡＰ３２０への再関連付けを生じさせると決定することができる。たとえば、第１のＡＰ調整モジュール３１１は、ワイヤレスクライアントデバイス３７０が第２のＡＰ３２０と関連付けすると、第１のＡＰ３１０での競合は減少し、第２のＡＰ３２０での競合はあらかじめ定義されたしきい値未満のままであると決定することができる。一例では、第１のＡＰ調整モジュール３１１は、ワイヤレスクライアントデバイス３７０の第２のＡＰ３２０への再関連付けの後、第１のＡＰ３１０が３つのワイヤレスクライアントデバイス（すなわち、３７１、３７３、および３７５）によって競合されると計算することができる。第１のＡＰ調整モジュール３１１はまた、ワイヤレスクライアントデバイス３７０の第２のＡＰ３２０への関連付けによる、ワイヤレスクライアントデバイス３７１、３７３、および３７５のスループット利得を計算することができる。スループット利得があらかじめ定義されたしきい値を上回る場合、第１のＡＰ調整モジュール３１１は、ワイヤレスクライアントデバイス３７０を第１のＡＰ３１０から第２のＡＰ３２０に再関連付けすると決定することができる。
【００８４】
[0093]図４は、バックホール条件に基づいて、ワイヤレスクライアントデバイスを、ハイブリッドネットワークの第１のＡＰから第２のＡＰに再関連付けするための例示的なシステム図である。図４は、第１のハイブリッドネットワークデバイス４１０、第２のハイブリッドネットワークデバイス４２０、およびワイヤレスクライアントデバイス４７０を有するハイブリッドネットワーク４００を含む。第１のハイブリッドネットワークデバイス４１０は、中央ＡＰ４１２を介したＷＬＡＮインターフェース、電力線インターフェース４１６、およびイーサネットインターフェース４１４を含む複数のタイプのネットワークインターフェースに関連付けられた抽象レイヤ４１８を含み得る。例としてインターフェース４１６が電力線通信インターフェースとして示されているが、他の技術が使用され得ることが理解されるべきである。本開示は、特定のバックホール技術に限定されない。バックホール技術の例は、限定ではないが、電力線通信ネットワーク（図４に示されるような）、マルチメディアオーバーコークス（ＭｏＣＡ、図示せず）、別のワイヤレスリンク（図示せず）、または第１のハイブリッドネットワークデバイス４１０をゲートウェイ４５０に通信可能に結合するための他の任意の技術を含み得る。
【００８５】
[0094]図４に示される例では、電力線インターフェース４１６は、第１のハイブリッドネットワークデバイス４１０を、電力線ネットワーク４５１を介してゲートウェイ４５０に通信可能に結合することができる。電力線インターフェース４１６とイーサネットインターフェース４１４とは、別々のバックホールリンクをゲートウェイ４５０に提供することができる。図４の例では、中央ＡＰ４１２は、ハイブリッドネットワーク内の１つまたは複数の他のＡＰに集中調整を提供することができる。
【００８６】
[0095]第２のハイブリッドネットワークデバイス４２０は、ＡＰ４２２を介したＷＬＡＮインターフェース、イーサネットインターフェース４２６を（非限定的な例として）含む複数のタイプのネットワークインターフェースに関連付けられた抽象レイヤ４２５を含み得る。イーサネットインターフェース４２６は、第２のハイブリッドネットワークデバイス４２０をＬＡＮ４５２に通信可能に結合することができる。中央ＡＰ４１２およびＡＰ４２２は、ハイブリッドネットワーク４００内のワイヤレスクライアントデバイス４７０にワイヤレス接続性を提供することができる。中央ＡＰ４１２およびＡＰ４２２は、それぞれ、ワイヤレスクライアントデバイス４７０を中央ＡＰ４１２からＡＰ４２２に再関連付けするよう調整し得るＡＰ調整モジュール４１３および４２３を含む。ワイヤレスクライアントデバイス４７０は、最初にワイヤレスリンク４７１を介して中央ＡＰ４１２に関連付けられ得る。図４はまた、ワイヤレスクライアントデバイス４７０の中央ＡＰ４１２からＡＰ４２２への再関連付けの後もたらし得る、ワイヤレスクライアントデバイス４７０とＡＰ４２２との間の後続のワイヤレスリンク４７２を示している。
【００８７】
[0096]いくつかの実装形態では、ハイブリッドネットワークデバイス４１０、４２０は、複数のバックホールリンクを介してゲートウェイ４５０に通信可能に結合され得る。たとえば、第１のハイブリッドネットワークデバイス４１０は、電力線インターフェース４１６を使用して、バックホールリンク（たとえば、電力線ネットワーク４５１）を介してゲートウェイ４５０に通信可能に結合され得る。第１のハイブリッドネットワークデバイス４１０はまた、ＬＡＮ（図示せず）を介してイーサネットインターフェース４１４を使用してゲートウェイ４５０に通信可能に結合され得る。同様に、第２のハイブリッドネットワークデバイス４２０は、イーサネットインターフェース４２６を使用してＬＡＮ４５２を介してゲートウェイ４５０に通信可能に結合される。チャネル特性（たとえば、ノイズ、チャネル上の競合）に基づいて、異なるバックホールリンクは、異なるデータレートをハイブリッドネットワークデバイス４１０および４２０に提供することができる。たとえば、電力線通信媒体は、近隣の電気デバイスからのノイズの影響を受けやすい。電力線インターフェース４１６を使用するバックホールリンクは、イーサネットインターフェース４２６を使用するバックホールリンクと比較して、より低いデータレートを第１のハイブリッドネットワークデバイス４１０に提供し得る。ＡＰ調整モジュール４１３は、ワイヤレスクライアントデバイス４７０を中央ＡＰ４１２からＡＰ４２２に再関連付けするかどうかを決定するために、ハイブリッドネットワークデバイス４１０および４２０のバックホールリンク上の利用可能なデータレートを比較することができる。
【００８８】
[0097]たとえば、ＡＰ調整モジュール４１３は、中央ＡＰ４１２が、バックホールリンクを使用して、電力線インターフェース４１６を介して第１のスループット（たとえば、６Ｍｂｐｓ）をワイヤレスクライアントデバイス４７０に提供して、ＡＰ４２２が、バックホールリンクを使用して、イーサネットインターフェース４２６を介して第２のスループット（たとえば、５４Ｍｂｐｓ）をワイヤレスクライアントデバイス４７０に提供すると決定することができる。ＡＰ調整モジュール４１３は、ワイヤレスクライアントデバイス４７０が、第１のスループットよりも高い第２のスループットから利益を得られるように、ワイヤレスクライアントデバイス４７０を中央ＡＰ４１２からＡＰ４２２に再関連付けすると決定することができる。
【００８９】
[0098]別の例では、中央ＡＰ４１２およびＡＰ４２２は、ほぼ同じ、または同様のスループットを提供することができるが、異なるネットワークパスまたはネットワーク待ち時間を有し得る。たとえば、ＡＰ調整モジュール４１３は、ＡＰ４１２、４２２の各々から宛先（たとえば、ＷＡＮ４６０）へのパス内のホップの数を減少させることに基づいて、ワイヤレスクライアントデバイス４７０を中央ＡＰ４１２からＡＰ４２２に再関連付けすると決定することができる。別の例では、ＡＰ調整モジュール４１３は、第１のハイブリッドネットワークデバイス４１０に隣接する電気デバイスのために、電力線インターフェース４１６はノイズをより受けやすいと決定することがあり、それは、ワイヤレスクライアントデバイス４７０が中央ＡＰ４１２を使用する場合、ワイヤレスクライアントデバイスにより大きいビットエラーレートをもたらし得る。バックホールネットワークまたは条件のタイプに基づいて、ＡＰ調整モジュール４１３は、ワイヤレスクライアントデバイス４７０を中央ＡＰ４１２からＡＰ４２２に再関連付けすると決定することができる。
【００９０】
[0099]図４は、中央ＡＰ４１２を含む第１のハイブリッドネットワークデバイス４１０を示している。中央ＡＰ４１２は、ハイブリッドネットワーク４００内の１つまたは複数のＡＰの間のワイヤレスクライアントデバイスの再関連付けの動作を調整し得る点に留意されたい。たとえば、中央ＡＰ４１２内のＡＰ調整モジュール４１３は、ワイヤレスクライアントデバイス４７０によって検出された代替ＡＰについての情報を維持することができる。ＡＰ調整モジュール４１３は、ワイヤレスクライアントデバイス４７０によって検出された代替ＡＰについての情報を、情報を要求している１つまたは複数のＡＰのＡＰ調整モジュールに送ることができる。中央ＡＰ４１２は、ハイブリッドネットワーク４００内のワイヤレスクライアントデバイスの再関連付け動作についての情報を記憶することができる点にさらに留意されたい。たとえば、中央ＡＰ４１２は、ワイヤレスクライアントデバイス４７０の中央ＡＰ４１２からＡＰ４２２への再関連付けの間に、中央ＡＰ４１２によって実行される動作（たとえば、中央ＡＰ４１２によるビーコンフレームの送信電力の一時的な減少、等）、およびＡＰ４２２によって実行される動作（たとえば、ＡＰ４２２によるビーコンフレームの送信電力の一時的な増加、等）を記憶することができる。中央ＡＰ４１２は、ハイブリッドネットワーク４００内の１つまたは複数のＡＰによって要求される場合、ワイヤレスクライアントデバイスの再関連付け動作についての情報を送ることができる。
【００９１】
[00100]図５は、ワイヤレスネットワークの第１のＡＰから第２のＡＰに送られ得る、ＡＰ調整メッセージ５００の例示的な概念図を示している。図５は、例示的なデータフレーム５２０を含む。データフレーム５２０は、プリアンブル５２２、フレームヘッダ５２４、フレーム本体５１０、およびフレームチェックシーケンス（ＦＣＳ）５２６を含み得る。プリアンブル５２２は、第２のＡＰ（たとえば、図３を参照して上述した第２のＡＰ３２０）で同期を確立するための１つまたは複数のビットを含み得る。フレームヘッダ５２４は、送信元および宛先ネットワークアドレス（たとえば、それぞれＡＰ３１０、３２０のネットワークアドレス）、データフレームの長さ、または他のフレーム制御情報を含み得る。フレーム本体５１０は、メッセージフォーマットで編成され得、様々なフィールドまたは情報要素５３２、５３６、および５３８を含み得る。
【００９２】
[00101]様々なフィールドまたは情報要素は、第１のＡＰから第２のＡＰへの再関連付けを調整するための調整情報を含み得る。調整情報要素５６０のいくつかの例は、図５に示されている。たとえば、調整情報要素は、同期情報５６２、ワイヤレスクライアントデバイスに関する情報５６４、リンク特性情報５６６、またはＡＰ性能情報５６８を含み得る。一実装形態では、同期情報５６２は、ワイヤレスクライアントデバイスが第１のＡＰから関連付け解除するようにスケジューリングされる時間期間、またはワイヤレスクライアントデバイスが第２のＡＰに関連付けられると予測される時間期間を含み得る。一実装形態では、同期情報５６２は、第１のＡＰが再関連付け動作（第１のＡＰによって送信されるビーコンフレームの送信電力の一時的な減少など）を実行する時間期間を示し得る。
【００９３】
[00102]ワイヤレスクライアントデバイスに関する情報５６４は、ワイヤレスクライアントデバイスのデバイス識別子（たとえば、ネットワークアドレス、媒体アクセス制御（ＭＡＣ）アドレス、等）を含み得る。リンク特性情報５６６は、ワイヤレスクライアントデバイスと第１のＡＰとの間の既存のワイヤレスリンクについての情報、第１のＡＰによってワイヤレスクライアントデバイスに提供されるスループット、または他のリンク特性情報を含み得る。ＡＰ性能情報５６８は、第１のＡＰの１つまたは複数の性能パラメータを含み得る。たとえば、性能パラメータは、第１のＡＰによって同時にサポートされ得るいくつかのワイヤレスクライアントデバイスの数、現在第１のＡＰに関連付けられているいくつかのワイヤレスクライアントデバイスの数、ワイヤレス媒体を介する通信のために第１のＡＰによって利用されるチャネル、または他のパラメータを含み得る。
【００９４】
[00103]図５には示されていないが、情報要素５３６はまた、ワイヤレスクライアントデバイスの再関連付けを調整するために、第１のＡＰから第２のＡＰへの１つまたは複数の命令を含み得る。たとえば、命令は、第２のＡＰによって送信されるビーコンフレームの送信電力を一時的に（たとえば、あらかじめ定義された時間間隔にわたって）増加させる命令を含み得る。いくつかの実装形態では、命令はまた、ワイヤレスクライアントデバイス等から関連付け要求を受け入れる命令を含み得る。
【００９５】
[00104]図６は、第１のワイヤレスクライアントデバイス６７０と、第２のＡＰ６２０に関連付けられた第２のワイヤレスクライアントデバイスと６７１との間のネットワークトラフィックフローを検出することに基づく、第１のワイヤレスクライアントデバイス６７０の、第１のＡＰ６１０から第２のＡＰ６２０への再関連付けの例示的な概念図を示している。図６は、ワイヤレスネットワーク１００（図１を参照して上述したように）と同様に、ワイヤレスネットワーク６００を含む。ワイヤレスネットワーク６００は、バックホールＬＡＮ６３０によってサービスされ得る。ＬＡＮ６３０は、ゲートウェイ６５０を介してＷＡＮ６６０にインターフェースされ得る。第１のＡＰ６１０は、第１のＡＰ調整モジュール６１１を有し得、第２のＡＰ６２０は第２のＡＰ調整モジュール６１３を有し得る。ＡＰ６１０，６２０は、以前の図面で説明したＡＰと同様であり得る。同様に、ワイヤレスクライアントデバイス６７０、６７１は、以前の図面で説明したワイヤレスクライアントデバイスと同様であり得る。
【００９６】
[00105]最初に、第１のワイヤレスクライアントデバイス６７０が第１のワイヤレスリンク６８１を介して第１のＡＰ６１０に関連付けられ、第２のワイヤレスクライアントデバイス６７１が第２のワイヤレスリンク６８３を介して第２のＡＰ６２０に関連付けられる。再関連付けが完了すると、第１のワイヤレスクライアントデバイス６７０および第２のＡＰ６２０は第１のワイヤレスリンク６８１と置換するために、新しいワイヤレスリンク６８２を確立することができる。
【００９７】
[00106]一実装形態では、第１のワイヤレスクライアントデバイス６７０と第２のワイヤレスクライアントデバイス６７１との間のネットワークトラフィックフローに少なくとも部分的に基づいて、第１のＡＰ６１０は、ワイヤレスクライアントデバイス６７０を第１のＡＰ６１０から第２のＡＰ６２０に再関連付けさせると決定することができる。たとえば、第１のＡＰ調整モジュール６１１は、第１のワイヤレスクライアントデバイス６７０と第２のワイヤレスクライアントデバイス６７１との間のネットワークトラフィックフローを検出することができる。いくつかの実装形態では、第１のＡＰ調整モジュール６１１は、バックホールＬＡＮ６３０を介した第１のＡＰ６１０と第２のＡＰ６２０との間のネットワークトラフィックフローを検出することに基づいて、第１のワイヤレスクライアントデバイス６７０と第２のワイヤレスクライアントデバイス６７１との間のネットワークトラフィックフローを検出することができる。
【００９８】
[00107]いくつかの実施形態では、第１のＡＰ調整モジュール６１１は、第１のワイヤレスクライアントデバイス６７０と第２のワイヤレスクライアントデバイス６７１との両方が、バックホールＬＡＮ６３０リソースを使用せずに相互に通信できるように、第１のワイヤレスクライアントデバイス６７０の再関連付けを生じさせると決定することができる。たとえば、第２のＡＰ６２０は、新しいワイヤレスリンク６８２から第２のワイヤレスリンク６８３へのトラフィックをブリッジすることができる。代替で、第１のＡＰ調整モジュール６１１は、両方のワイヤレスクライアントデバイス６７０、６７１が同じＡＰ（たとえば、第２のＡＰ６２０）に関連付けられた場合、第１のワイヤレスクライアントデバイス６７０と第２のワイヤレスクライアントデバイス６７１とが、直接ピアツーピア通信を（たとえば、トンネルダイレクトリンク設定（ＴＤＬＳ）を介して）サポートできるかどうかを決定することができる。
【００９９】
[00108]第１のＡＰ調整モジュール６１１はまた、第１のワイヤレスクライアントデバイス６７０が第２のＡＰ６２０に関連付けられ得る（たとえば、第２のＡＰ６２０からのビーコンフレームの受信信号強度があらかじめ定義されたしきい値を上回る）かどうかを決定することができる。第１のワイヤレスクライアントデバイス６７０と第２のワイヤレスクライアントデバイス６７１とがピアツーピア通信をサポートできると決定すると、第１のＡＰ調整モジュール６１１は、第１のＡＰ６１０を介するスループットと比較して、第１のワイヤレスクライアントデバイス６７０と第２のワイヤレスクライアントデバイス６７１との間のピアツーピアリンクを介してより大きいスループットが達成され得るかどうかを決定することができる。いくつかの実装形態では、第１のＡＰ調整モジュール６１１はまた、第１のワイヤレスクライアントデバイス６７０と第２のワイヤレスクライアントデバイス６７１との間のピアツーピアリンクは、ネットワークリソースのより低い利用をもたらすと決定することができる。たとえば、一旦ピアツーピア通信が設定されると、第１のワイヤレスクライアントデバイス６７０と第２のワイヤレスクライアントデバイス６７１との間のネットワークトラフィックは、第２のＡＰ６２０へとＬＡＮ６３０を介して第１のＡＰ６１０を横切る必要はない場合がある。
【０１００】
[00109]第１のＡＰ調整モジュール６１１が、第１のワイヤレスクライアントデバイス６７０を第１のＡＰ６１０から第２のＡＰ６２０に再関連付けさせると決定すると、第１のＡＰ調整モジュール６１１は、第１のワイヤレスクライアントデバイス６７０を第１のＡＰ６１０から第２のＡＰ６２０への再関連付けを生じさせるために、第２のＡＰ調整モジュール６１３と調整することができる。
【０１０１】
[00110]図７は、ワイヤレスネットワークにおいて、ワイヤレスクライアントデバイス７７０を第１のＡＰ７１０から第２のＡＰ７２０に再関連付けさせるための、ワイヤレスクライアントデバイス７７０、第１のＡＰ７１０、および第２のＡＰ７２０の間のメッセージ交換の例示的なシーケンス図７００を示している。一実装形態では、ワイヤレスクライアントデバイス７７０は、最初に第１のＡＰ７１０に関連付けられる。第１のＡＰ７１０は、第２のＡＰ７２０のスループット能力を要求するためにメッセージを送ることができる（矢印７１２として示される）。第２のＡＰ７２０は、第１のＡＰ７１０に、第２のＡＰ７２０がワイヤレスクライアントデバイス７７０に提供することができる可能性があるスループット能力を含む応答を送ることができる（矢印７１４として示される）。いくつかの実装形態では、第１のＡＰ７１０は、第２のＡＰ７２０に他の性能特性（図示せず、たとえば、待ち時間、第２のＡＰ７２０での競合、等）を要求することができる。
【０１０２】
[00111]７１６で、第２のＡＰ７２０からの応答７１４に少なくとも部分的に基づいて、第１のＡＰ７１０は、ワイヤレスクライアントデバイス７７０を第２のＡＰ７２０に再関連付けするかどうかを決定することができる。７１７で、第１のＡＰ７１０は、ＡＰ調整メッセージを第２のＡＰ７２０に送ることができる（図５などで前述したように）。たとえば、ＡＰ調整メッセージは、再関連付け動作のタイミング、または第１のＡＰ７１０が実行するのはどの再関連付け動作かの表示を示すことができる。７１８で、第１のＡＰ７１０は、再関連付け動作を実行することができる。再関連付け動作は、たとえば、あらかじめ定義された時間間隔にわたって第１のＡＰ７１０から送信されるビーコンフレームの送信電力を減少させること、ならびに第１のＡＰ７１０からのワイヤレスクライアントデバイス７７０の関連付け解除を強制することを含み得る。同時に、第２のＡＰ７２０は、７２１で、ワイヤレスクライアントデバイス７７０の再関連付けを調整するために、１つまたは複数の動作を実行することができる。たとえば、第２のＡＰ７２０は、ＡＰ調整メッセージ内に示されたあらかじめ定義された時間間隔にわたって、第２のＡＰ７２０から送信されるビーコンフレームの送信電力を増加させることができる。７７１で、ワイヤレスクライアントデバイス７７０は、第１のＡＰ７１０から送信されたビーコンフレームの信号強度が、第２のＡＰ７２０から送信されたビーコンフレームの信号強度よりも低いことを検出することができる。７７２で、ワイヤレスクライアントデバイス７７０は、第２のＡＰ７２０に関連付け要求を送ることができる。
【０１０３】
[00112]図８は、第１のワイヤレスクライアントデバイスと、第２のＡＰに関連付けられた第２のワイヤレスクライアントデバイスとの間のネットワークトラフィックを検出することに基づいて、第１のワイヤレスクライアントデバイスを第１のＡＰから第２のＡＰに再関連付けするための例示的な動作の流れ図８００を示している。
【０１０４】
[00113]ブロック８１０で、第１のＡＰに関連付けられた第１のワイヤレスクライアントデバイスと、第２のＡＰに関連付けられた第２のワイヤレスクライアントデバイスとの間のネットワークトラフィックフローが検出される。一実装形態では、ＡＰ調整モジュールが、第１のワイヤレスクライアントデバイスと第２のワイヤレスクライアントデバイスとの間のネットワークトラフィックフローを検出する。たとえば、ＡＰ調整モジュールは、第１のＡＰと第２のＡＰとの間のバックホールＬＡＮ上のトラフィックのフローを検出することに基づいて、または送信元および宛先ネットワークアドレスに基づいて、第１のワイヤレスクライアントデバイスと第２のワイヤレスクライアントデバイスとの間のネットワークフローを検出することができる。ＡＰ調整モジュールはまた、ピアトラフィックが検出されたときに、ＡＰ調整モジュールがピアデバイスのうちの１つまたは複数の再関連付けを考慮できるように、どのワイヤレスクライアントデバイスが様々なＡＰに関連付けられているかについての情報を収集することができる。
【０１０５】
[00114]８２０で、第１のワイヤレスクライアントデバイスと第２のＡＰとの関連付けが、第１のワイヤレスクライアントデバイスと第２のワイヤレスクライアントデバイスとの間のより効率的なピアツーピア通信を可能にすることが決定される。一実装形態では、ＡＰ調整モジュールは、第１のワイヤレスクライアントデバイスと第２のＡＰとの関連付けが、第１のワイヤレスクライアントデバイスと、第２のＡＰにすでに関連付けられている第２のワイヤレスクライアントデバイスとの間のピアツーピア通信を可能にすると決定する。
【０１０６】
[00115]ブロック８３０で、ＡＰ調整メッセージが第１のＡＰから第２のＡＰに伝達される。ＡＰ調整メッセージは、第１のワイヤレスクライアントデバイスを識別し、第１のワイヤレスクライアントデバイスの第１のＡＰから第２のＡＰへの再関連付けを調整するための調整情報を含むことができる、ＡＰ調整メッセージ内のＡＰ調整情報は、第２のＡＰに再関連付けされるべき第１のワイヤレスクライアントデバイスのデバイス識別子を含み得る。ＡＰ調整情報はまた、第１のワイヤレスクライアントデバイスに第２のＡＰに再関連付けさせるために使用されている選択された再関連付け技法に関するタイミング情報を記述し得る。
【０１０７】
[00116]ブロック８４０で、第１のＡＰは、前述のように、調整情報に従って第１のワイヤレスクライアントデバイスの再関連付けを生じさせるために第２のＡＰと調整する。
【０１０８】
[00117]図９は、複数の再関連付け技法のうちの１つを利用することによって、第１のワイヤレスクライアントデバイスを第１のＡＰから第２のＡＰに再関連付けするための例示的な動作の流れ図９００を示している。
【０１０９】
[00118]ブロック９０２で、ワイヤレスネットワークの第１のＡＰは、ワイヤレスクライアントデバイスをワイヤレスネットワークの第２のＡＰに再関連付けさせると決定する。
【０１１０】
[00119]ブロック９０４で、再関連付け技法が選択される。前述のように、ワイヤレスクライアントデバイスの第１のＡＰから第２のＡＰへの再関連付けをもたらし得る、いくつかの再関連付け技法または動作があり得る。しかしながら、必ずしもすべての再関連付け技法が様々なワイヤレスクライアントデバイスのためにサポートされるとは限らない。ＡＰは、成功裏に再関連付けをもたらす再関連付け技法を識別するまで、異なる再関連付け技法を試みることができる。第１のＡＰは、ワイヤレスクライアントデバイスの再関連付けを成功裏に生じさせた特定の再関連付け技法の以前の試みに基づいてワイヤレスクライアントデバイスを再関連付けするために、再関連付け技法を選択することができる。
【０１１１】
[00120]ブロック９０６で、ＡＰ調整メッセージが第１のＡＰから第２のＡＰに伝達される。ＡＰ調整メッセージは、ワイヤレスクライアントデバイスを識別し、ワイヤレスクライアントデバイスの第１のＡＰから第２のＡＰへの再関連付けを調整するための調整情報を含むことができる。ＡＰ調整メッセージ内のＡＰ調整情報は、ワイヤレスクライアントデバイスのデバイス識別子を含み得る。ＡＰ調整情報はまた、選択された再関連付け技法、および選択された再関連付け技法のために再関連付け動作を実行することに関連付けられるタイミングを識別することができる。
【０１１２】
[00121]決定９１０で、流れ図は、ブロック９１２、９１４、および９１６に関連して説明された複数の可能な再関連付け動作のうちの選択された１つに分岐する。ブロック９１２、９１４、および９１６は、それぞれ複数の可能な再関連付け技法のうちの異なる再関連付け技法を表す。本明細書に記載の再関連付け技法は例であり、第１のＡＰが選択する複数の再関連付け技法には他の再関連付け技法が含まれ得る点に留意されたい。
【０１１３】
[00122]選択ブロック９１２で、第１のＡＰによって送信されるビーコンフレームの電力が、第２のＡＰによって送信されるビーコンフレームの電力の変化と連携して調節される。一実装形態では、第１のＡＰと第２のＡＰは、それぞれ第１のＡＰと第２のＡＰによって送信されるビーコンフレームの送信電力を調節する。たとえば、第１のＡＰは、あらかじめ定義された時間間隔にわたって第１のＡＰから送信されるビーコンフレームの送信電力を減少させることができる。第２のＡＰは、あらかじめ定義された間隔にわたって第２のＡＰから送信されるビーコンフレームの電力を増加させることができる。ワイヤレスクライアントデバイスは、第１のＡＰからの関連付け解除メッセージに応答して、第１のＡＰから関連付け解除するよう強制され得る。代替で、ワイヤレスクライアントデバイスは、第１のＡＰによって送信されたビーコンフレームの電力レベルにおける変化に基づいて、関連付け解除することを選ぶことができる。ワイヤレスクライアントデバイスは、第２のＡＰを発見して、第２のＡＰから受信されたビーコンフレームの受信された信号強度が、第１のＡＰから受信されたビーコンフレームの受信された信号強度よりも強いと決定することができる。相対的な信号強度の結果として、ワイヤレスクライアントデバイスは第２のＡＰに関連付けることを選ぶことができる。
【０１１４】
[00123]選択ブロック９１４で、少なくとも第２のＡＰを識別する構成パラメータが第１のワイヤレスクライアントデバイスに送られ、構成パラメータは、第２のＡＰを再選択し、それに関連付けられるためのワイヤレスクライアントデバイスへの提案を表す。たとえば、構成パラメータは、第２のＡＰのデバイス識別子（たとえば、ＭＡＣアドレス、サービスセット識別子（ＳＳＩＤ）、または他の識別子）を含み得る。代替で、構成パラメータは、ワイヤレスクライアントデバイスが明示的な命令を解釈することが可能である場合、第２のＡＰに関連付けるワイヤレスクライアントデバイスへの明示的な命令を含み得る。いくつかの実装形態では、第１のＡＰは、構成パラメータにおいて複数のＡＰのデバイス識別子を送って、複数のＡＰからのビーコンフレームのＲＳＳＩに基づいて、ワイヤレスクライアントデバイスに複数のＡＰから１つのＡＰに関連付けるよう指示することができる。
【０１１５】
[00124]選択ブロック９１６で、ワイヤレスクライアントデバイスに新しいネットワーク発見および選択を実行するよう強制するために、ワイヤレスクライアントデバイスに関連付け解除命令が送られる。一実装形態では、第１のＡＰは、関連付け解除命令をワイヤレスクライアントデバイスに送る。たとえば、関連付け解除命令は、ワイヤレスクライアントデバイスに、あらかじめ定義された時間間隔内に第１のＡＰから関連付け解除するよう指示することができる。関連付け解除命令はまた、ワイヤレスクライアントデバイスに、新しいＡＰの発見を実行して、たとえ第１のＡＰが発見されても第１のＡＰに関連付けないよう指示することができる。いくつかの実装形態では、第１のＡＰは、ワイヤレスクライアントデバイスが第１のＡＰに再び関連付けることを防止するために、ワイヤレスクライアントデバイスからのさらなるトラフィックをブロックすることができる。
【０１１６】
[00125]流れ図は、ブロック９１２、９１４、９１６から、決定９１７へと続く。９１７で、再関連付け技法９１２、９１４、または９１６が所望の再関連付けを生じさせることに成功しなかった場合、フローは、異なる再関連付け技法を選択するために、ブロック９０４に戻ることができる。再関連付け技法９１２、９１４、９１６が所望の再関連付けを生じさせることに成功した場合、フローはブロック９１８へと続くことができる。
【０１１７】
[00126]ブロック９１８で、ワイヤレスクライアントデバイスのために実行された再関連付け動作の記録が維持される。記録は、ワイヤレスクライアントデバイスの第１のＡＰから第２のＡＰへの再関連付けを成功裏に生じさせた１つまたは複数の再関連付け動作を識別する。一実装形態では、第１のＡＰは、ワイヤレスクライアントデバイスが成功裏に第２のＡＰに関連付けたという確認を第２のＡＰから受信することができる。確認を受信すると、第１のＡＰは、ワイヤレスクライアントデバイスの再関連付け動作の記録を記憶することができる。たとえば、再関連付け動作の記録は、ワイヤレスクライアントデバイスのデバイス識別子（たとえば、ＭＡＣアドレス）、およびワイヤレスクライアントデバイスを第１のＡＰから第２のＡＰに再関連付けするために成功裏に使用された再関連付け技法（ブロック９１２、９１４、および９１６で説明されたものなど）のうちの１つを含み得る。いくつかの実装形態では、再関連付け動作の記録はまた、第１および第２のＡＰ（すなわち、第１のＡＰおよび第２のＡＰ）のデバイス識別子を含み得る。記録はまた、成功した再関連付け技法に関連付けられる平均待ち時間または遅延を記憶し得る。
【０１１８】
[00127]ワイヤレスクライアントデバイスが後に第１のＡＰと再関連付けされるべきであり、第１のＡＰが別の再関連付けを生じさせると決定する場合、第１のＡＰは、再関連付け技法の後続の選択において、以前の再関連付け（ブロック９１８を参照）の記録を利用することができる。いくつかの試みおよび再関連付けにわたって、アクセスポイントは特定のワイヤレスクライアントデバイスの機能に気付くことができる。異なる再関連付け技法の機能および関連付けられる遅延は、特定のワイヤレスクライアントデバイスのための再関連付け技法を選択する際に考慮され得る。
【０１１９】
[00128]図２、図８、および図９の流れ図で説明される動作は、本質的に例示である点に留意されたい。図２、図８、および図９の流れ図は、ワイヤレスクライアントデバイスを第１のＡＰから第２のＡＰに再関連付けするためのすべての実施形態を示すとは限らない点にさらに留意されたい。たとえば、ブロック８４０の動作は、図９のブロック９１２、９１４、９１６で説明された再関連付け技法のうちの１つを含み得る。
【０１２０】
[00129]図１〜図１０、および本明細書に記載の動作は例示であり、実施形態を理解する際に助けることを意味するものであり、実施形態を限定する、または特許請求の範囲を限定するために使用されるべきではないことが理解されるべきである。実施形態は、追加の動作を実行し、より少ない動作を実行し、動作を並行してまたは異なる順序で実行し、いくつかの動作を別様に実行することができる。
【０１２１】
[00130]当業者には理解されるように、本開示の態様は、システム、方法、またはコンピュータプログラム製品として具現化され得る。したがって、本開示の態様は、完全にハードウェア実施形態、ソフトウェア実施形態（ファームウェア、常駐ソフトウェア、マイクロコード等を含む）、またはソフトウェアの態様とハードウェアの態様とを組み合わせた実施形態の形態を取ることができ、これらは、本明細書ではすべて一般的に「回路」、「モジュール」、または「システム」と呼ばれ得る。さらに、本開示の態様は、コンピュータ可読プログラムコードを具現化した１つまたは複数のコンピュータ可読媒体内に具現化されたコンピュータプログラム製品の形態を取ることができる。
【０１２２】
[00131]１つまたは複数のコンピュータ可読媒体の任意の組合せが利用され得る。コンピュータ可読媒体は、コンピュータ可読記憶媒体であり得る。コンピュータ可読記憶媒体は、たとえば、これに限定されないが、電子的、磁気的、光学的、電磁気的、赤外線、もしくは半導体システム、装置、またはデバイス、あるいは前述のいずれかの適切な組合せであり得る。コンピュータ可読記憶媒体のより具体的な例（非網羅的なリスト）は、１つまたは複数のワイヤを有する電気的接続、ポータブルコンピュータディスケット、ハードディスク、ランダムアクセスメモリ（ＲＡＭ）、読出し専用メモリ（ＲＯＭ）、消去可能プログラマブル読出し専用メモリ（ＥＰＲＯＭ、またはフラッシュメモリ）、光ファイバ、ポータブルコンパクトディスク読出し専用メモリ（ＣＤ−ＲＯＭ）、光記憶デバイス、磁気記憶デバイス、または上記のいずれかの適切な組合せを含む。本明細書の文脈では、コンピュータ可読記憶媒体は、命令実行システム、装置、もしくはデバイスによって使用するための、またはそれらとともに使用するためのプログラムを含むこと、または記憶することができる、任意の有形媒体であり得る。
【０１２３】
[00132]本開示の態様のための動作を実行するためにコンピュータ可読媒体上に具現化されたコンピュータプログラムコードは、Ｊａｖａ（登録商標）、Ｓｍａｌｌｔａｌｋ、Ｃ＋＋などのオブジェクト指向プログラミング言語、および「Ｃ」プログラミング言語などの従来の手続き型プログラミング言語、または同様のプログラミング言語を含む、１つまたは複数のプログラミング言語の任意の組合せで書かれ得る。プログラムコードは、完全にユーザのコンピュータ上で、部分的にユーザのコンピュータ上で、スタンドアロン型ソフトウェアパッケージとして、部分的にユーザのコンピュータ上および部分的にリモートコンピュータ上で、あるいは完全にリモートコンピュータまたはサーバ上で、実行することができる。後者のシナリオでは、リモートコンピュータは、ローカルエリアネットワーク（ＬＡＮ）またはワイドエリアネットワーク（ＷＡＮ）を含む任意のタイプのネットワークを通じて、ユーザのコンピュータに接続されてもよく、（たとえばインターネットサービスプロバイダを使用するインターネットを通じて）外部コンピュータに接続されてもよい。
【０１２４】
[00133]本発明の態様が、本開示の実施形態に従って、方法、装置（システム）、およびコンピュータプログラム製品の流れ図および／またはブロック図を参照して説明される。流れ図および／またはブロック図、ならびに流れ図および／またはブロック図におけるブロックの組合せは、コンピュータプログラム命令によって実装可能であることが理解されよう。これらのコンピュータプログラム命令は、汎用コンピュータ、専用コンピュータ、または機械を製造するための他のプログラマブルデータ処理装置のプロセッサに提供可能であり、その結果、コンピュータまたは他のプログラマブルデータ処理装置のプロセッサを介して実行される命令は、流れ図および／またはブロック図の１つまたは複数のブロックにおいて指定された機能／動作を実施するための手段を作成する。
【０１２５】
[00134]これらのコンピュータプログラム命令はまた、コンピュータ、他のプログラマブルデータ処理装置、または他のデバイスに、特定の方法で機能するように指示することが可能なコンピュータ可読媒体に記憶されてよく、その結果、コンピュータ可読媒体に記憶された命令は、流れ図および／またはブロック図の１つまたは複数のブロックにおいて指定された機能／動作を実施する命令を含む製品を製造する。コンピュータプログラム命令はまた、コンピュータ実装プロセスを生成するために、一連の動作ステップがコンピュータ、他のプログラマブル装置、または他のデバイス上で実行されるように、コンピュータ、他のプログラマブルデータ処理装置、または他のデバイス上にロードされてよく、その結果、コンピュータまたは他のプログラマブル装置上で実行される命令は、流れ図および／またはブロック図の１つまたは複数のブロックにおいて指定された機能／動作を実施するためのプロセスを提供する。
【０１２６】
[00135]図１０は、本開示による様々な実施形態を実装することが可能な電子デバイス１０００の一実施形態の例示的なブロック図である。電子デバイス１０００は、プロセッサユニット１００２（場合によっては、複数のプロセッサ、複数のコア、複数のノードを含む、および／またはマルチスレッドを実装する、等）を含む。電子デバイス１０００は、メモリユニット１００６を含む。メモリユニット１００６は、システムメモリ（たとえば、キャッシュ、ＳＲＡＭ、ＤＲＡＭ、ゼロキャパシタＲＡＭ、ツイントランジスタＲＡＭ、ｅＤＲＡＭ、ＥＤＯ  ＲＡＭ、ＤＤＲ  ＲＡＭ、ＥＥＰＲＯＭ（登録商標）、ＮＲＡＭ、ＲＲＡＭ（登録商標）、ＳＯＮＯＳ、ＰＲＡＭ等のうちの１つまたは複数）でもよく、上記ですでに説明された機械可読媒体の可能な実現のうちの任意の１つまたは複数でもよい。電子デバイス１０００はまた、バス１０１０（たとえば、ＰＣＩ、ＩＳＡ、ＰＣＩ−Ｅｘｐｒｅｓｓ、ＨｙｐｅｒＴｒａｎｓｐｏｒｔ（登録商標）、ＩｎｆｉｎｉＢａｎｄ（登録商標）、ＮｕＢｕｓ、ＡＨＢ、ＡＸＩ、等）、およびワイヤレスネットワークインターフェース（たとえば、ＷＬＡＮインターフェース、Ｂｌｕｅｔｏｏｔｈ（登録商標）インターフェース、ＷｉＭＡＸ（登録商標）インターフェース、ＺｉｇＢｅｅ（登録商標）インターフェース、ワイヤレスＵＳＢインターフェース、等）のうちの少なくとも１つを含むネットワークインターフェース１００４、ならびにワイヤードネットワークインターフェース（たとえば、電力線通信インターフェース、Ｅｔｈｅｒｎｅｔ（登録商標）インターフェース、等）を含む。
【０１２７】
[00136]電子デバイス１０００は、ＡＰ調整モジュール１０１６を含み得る。ＡＰ調整モジュール１０１６は、本明細書に記載の様々な方法、技法、動作等を実行することが可能であり得る。たとえば、ＡＰ調整モジュール１０１６は、本開示の実施形態に従って、ワイヤレスクライアントデバイスを別のＡＰに再関連付けさせるために、ワイヤレスネットワーク内の１つまたは複数のＡＰと調整するために適切であり得る。これらの機能のうちのいずれか１つは、部分的に（または全体的に）ハードウェアおよび／またはプロセッサユニット１００２上に実装され得る。たとえば、機能は特定用途向け集積回路に、プロセッサユニット１００２に実装されたロジックに、周辺デバイスまたはカード上のコプロセッサ等に実装され得る。さらに、実現は、より少数の、または図１０には示されていない追加の構成要素（たとえば、ビデオカード、オーディオカード、追加のネットワークインターフェース、周辺デバイス等）を含み得る。プロセッサユニット１００２、メモリユニット１００６、およびネットワークインターフェース１００４は、バス１０１０に結合されている。バス１０１０に結合されているように示されているが、メモリユニット１００６はプロセッサユニット１００２に結合され得る。
【０１２８】
[00137]様々な実装形態および開発を参照して実施形態が説明されたが、これらの実施形態は例示であり、本開示の範囲はそれらに限定されないことが理解されよう。一般に、本明細書に記載の、ワイヤレスクライアントデバイスの、ワイヤレスネットワーク内の第１のＡＰから第２のＡＰへの再関連付けを実装するための技法は、任意の１つまたは複数のハードウェアシステムと一致する機能とともに実装され得る。様々な変形形態、修正形態、追加、および改良が可能である。
【０１２９】
[00138]複数の事例は、本明細書に記載の構成要素、動作、または構造に、単一の例としてもたらされ得る。最後に、様々な構成要素、動作、およびデータストア間の境界は、ある程度任意であり、特定の動作が特有の例示的な構成に照らして示される。機能の他の割当ても想定され、本開示の範囲内に入ることができる。一般に、例示的な構成において別個の構成要素として提示された構造と機能が、組み合わされた構造または構成要素として実装され得る。同様に、単一の構成要素として提示された構造と機能は、別個の構成要素として実装され得る。これらおよび他の変形形態、修正形態、追加、および改良は、本開示の範囲内に入ることができる。
【図１】
2016538737.tif 000003
【図２】
2016538737.tif 000004
【図３】
2016538737.tif 000005
【図４】
2016538737.tif 000006
【図５】
2016538737.tif 000007
【図６】
2016538737.tif 000008
【図７】
2016538737.tif 000009
【図８】
2016538737.tif 000010
【図９】
2016538737.tif 000011
【図１０】
2016538737.tif 000012
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
ワイヤレスネットワークの第１のアクセスポイント（ＡＰ）によって実行される方法であって、
前記第１のＡＰに通信可能に結合されたワイヤレスクライアントデバイスを前記第１のＡＰから前記ワイヤレスネットワークの第２のＡＰに再関連付けすると決定することと、
前記ワイヤレスクライアントデバイスを前記第２のＡＰに再関連付けさせるために再関連付け動作を決定することと、
ＡＰ調整メッセージを前記第２のＡＰに伝達することと、前記ＡＰ調整メッセージが前記ワイヤレスクライアントデバイスの識別および前記再関連付け動作の表示を含む、
前記再関連付け動作に従って前記ワイヤレスクライアントデバイスを前記第２のＡＰに再関連付けするために、前記第１のＡＰを前記第２のＡＰと調整することと
を備える、方法。
【請求項２】
前記再関連付け動作を前記決定することは、
前記第１のＡＰによって送信されるビーコンフレームの送信電力を減少させることと、
前記ワイヤレスクライアントデバイスを前記第２のＡＰに再関連付けさせるために、構成パラメータを前記ワイヤレスクライアントデバイスに送信することと、
前記ワイヤレスクライアントデバイスに新しいネットワーク発見および選択を実行するよう強制するために、関連付け解除命令を前記ワイヤレスクライアントデバイスに送信することと、
前記ワイヤレスクライアントデバイスに前記新しいネットワーク発見および選択を実行するよう強制するために、前記ワイヤレスクライアントデバイスからの少なくとも１つの着信パケットをブロックすることと
で構成されるグループから前記再関連付け動作を選択することを備える、請求項１に記載の方法。
【請求項３】
前記第１のＡＰによって送信されるビーコンフレームの前記送信電力を減少させることが、前記第２のＡＰによって送信されるビーコンフレームの送信電力の増加と連携して、前記第１のＡＰによって送信されるビーコンフレームの前記送信電力の減少を調整することを含む、請求項２に記載の方法。
【請求項４】
前記ＡＰ調整メッセージが、前記再関連付け動作を同期するためのタイミング情報をさらに含む、請求項１に記載の方法。
【請求項５】
前記ワイヤレスクライアントデバイスのために実行された以前の再関連付け動作の記録を維持することをさらに備え、ここにおいて、前記記録が前記ワイヤレスクライアントデバイスを識別し、前記ワイヤレスクライアントデバイスを前記第１のＡＰから前記第２のＡＰに再関連付けするために使用された以前の再関連付け動作を示す、請求項１に記載の方法。
【請求項６】
前記記録が、前記以前の再関連付け動作の開始と、前記以前の再関連付け動作の完了との間の時間の量に関連付けられる待ち時間をさらに含む、請求項５に記載の方法。
【請求項７】
前記再関連付け動作を決定することは、
以前の再関連付け動作の記録に少なくとも部分的に基づいて、前記再関連付け動作を選択すること
を備える、請求項１に記載の方法。
【請求項８】
前記第１のＡＰを前記第２のＡＰと調整することが、前記第１のＡＰで、第１のビーコンフレームの送信電力を一時的に減少させることを備える、請求項１に記載の方法。
【請求項９】
前記ＡＰ調整メッセージが、前記第２のＡＰに、前記第２のＡＰによって送信される第２のビーコンフレームの送信電力を増加させるためのインジケータを含む、請求項８に記載の方法。
【請求項１０】
前記第１のＡＰを前記第２のＡＰと調整することが、前記ワイヤレスクライアントデバイスに関連付け解除命令を送信することを備える、請求項１に記載の方法。
【請求項１１】
前記第１のＡＰで、前記ワイヤレスクライアントデバイスからの少なくとも１つの着信パケットをブロックすることをさらに備える、請求項１０に記載の方法。
【請求項１２】
前記第１のＡＰを前記第２のＡＰと調整することが、
前記ワイヤレスクライアントデバイスを前記第２のＡＰに再関連付けさせるために、前記ワイヤレスクライアントデバイスに構成パラメータを送信することを備える、請求項１に記載の方法。
【請求項１３】
前記構成パラメータが、少なくとも前記第２のＡＰを含む候補ＡＰのリストを含む、請求項１２に記載の方法。
【請求項１４】
再関連付けすると決定することが、
前記ワイヤレスクライアントデバイスと前記第１のＡＰとの間のワイヤレス関連付けに関連する第１の性能特性を決定することと、
前記ワイヤレスクライアントデバイスと前記第２のＡＰとの間の潜在的なワイヤレス関連付けに関連する第２の性能特性を推定することと、
前記第２の性能特性が前記第１の性能特性を上回ると決定することと
を備える、請求項１に記載の方法。
【請求項１５】
前記ＡＰ調整メッセージを伝達することが、前記第２の性能特性が前記第１の性能特性を上回ると決定することに応答する、請求項１４に記載の方法。
【請求項１６】
再関連付けすると決定することが、
前記ワイヤレスクライアントデバイスと前記第２のＡＰとの関連付けが、より大きいアプリケーションスループットを前記ワイヤレスクライアントデバイスに提供すると決定することを備える、請求項１に記載の方法。
【請求項１７】
再関連付けすると決定することが、
前記ワイヤレスクライアントデバイスと前記第２のＡＰとの関連付けが、前記第１のＡＰと前記第２のＡＰとの間の負荷バランシングを改善すると決定することを備える、請求項１に記載の方法。
【請求項１８】
再関連付けすると決定することが、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定することを備える、請求項１に記載の方法。
【請求項１９】
前記ワイヤレスクライアントデバイスと前記第２のＡＰとの前記関連付けが、ピアツーピア通信を可能にすると決定することが、前記ワイヤレスクライアントデバイスと、前記第２のＡＰに関連付けられた少なくとも１つのワイヤレスクライアントデバイスとの間のネットワークトラフィックフローを検出することを備える、請求項１８に記載の方法。
【請求項２０】
再関連付けすると決定することが、
前記第２のＡＰ、別のＡＰ、または前記ワイヤレスネットワークの中央調整器から受信された情報に少なくとも部分的に基づいて、前記第１のＡＰから前記ワイヤレスクライアントデバイスを関連付け解除すると決定することを備える、請求項１に記載の方法。
【請求項２１】
前記ワイヤレスクライアントデバイスが前記第２のＡＰに関連付けられた状態になっているという確認を受信することをさらに備える、請求項１に記載の方法。
【請求項２２】
ワイヤレスネットワークの第１のアクセスポイント（ＡＰ）であって、前記第１のＡＰが、
前記ワイヤレスネットワークと結合するように動作可能なネットワークインターフェースと、
プロセッサと、
命令を記憶したメモリと
を備え、前記命令は、前記プロセッサによって実行されると、前記第１のＡＰに、
前記ネットワークインターフェースを介して前記第１のＡＰに通信可能に結合されたワイヤレスクライアントデバイスを前記第１のＡＰから前記ワイヤレスネットワークの第２のＡＰに再関連付けすると決定することと、
前記ワイヤレスクライアントデバイスを前記第２のＡＰに再関連付けさせるように実行するために再関連付け動作を決定することと、
ＡＰ調整メッセージを前記第２のＡＰに伝達することと、前記ＡＰ調整メッセージが前記ワイヤレスクライアントデバイスの識別および前記再関連付け動作の表示を含む、
前記再関連付け動作に従って前記ワイヤレスクライアントデバイスを前記第２のＡＰに再関連付けするために、前記第１のＡＰを前記第２のＡＰと調整することと
を行わせる、第１のＡＰ。
【請求項２３】
前記再関連付け動作を決定する前記命令は、前記プロセッサによって実行されると、前記プロセッサに、
前記第１のＡＰによって送信されるビーコンフレームの送信電力を減少させることと、
前記ワイヤレスクライアントデバイスを前記第２のＡＰに再関連付けさせるために、構成パラメータを前記ワイヤレスクライアントデバイスに送信することと、
前記ワイヤレスクライアントデバイスに新しいネットワーク発見および選択を実行するよう強制するために、関連付け解除命令を前記ワイヤレスクライアントデバイスに送信することと、
前記ワイヤレスクライアントデバイスに前記新しいネットワーク発見および選択を実行するよう強制するために、前記ワイヤレスクライアントデバイスからの少なくとも１つの着信パケットをブロックすることと
で構成されるグループから前記再関連付け動作を選択させる命令を備える、請求項２２に記載の第１のＡＰ。
【請求項２４】
前記第１のＡＰによって送信されるビーコンフレームの前記送信電力を減少させることの前記再関連付け動作が、前記第２のＡＰによって送信されるビーコンフレームの送信電力の増加と連携して、前記第１のＡＰによって送信されるビーコンフレームの前記送信電力の減少を調整することを備える、請求項２３に記載の第１のＡＰ。
【請求項２５】
前記ＡＰ調整メッセージが、前記再関連付け動作を同期するためのタイミング情報をさらに含む、請求項２２に記載の第１のＡＰ。
【請求項２６】
前記命令が、前記第１のＡＰの前記プロセッサによって実行されると、前記第１のＡＰに、
前記ワイヤレスクライアントデバイスのために実行された以前の再関連付け動作の記録を維持させ、ここにおいて、前記記録が前記ワイヤレスクライアントデバイスを識別し、前記ワイヤレスクライアントデバイスを前記第１のＡＰから前記第２のＡＰに再関連付けするために使用された以前の再関連付け動作を示す、請求項２２に記載の第１のＡＰ。
【請求項２７】
前記記録が、前記以前の再関連付け動作の開始と、前記以前の再関連付け動作の完了との間の時間の量に関連付けられる待ち時間をさらに含む、請求項２６に記載の第１のＡＰ。
【請求項２８】
前記再関連付け動作を決定する前記命令が、前記第１のＡＰの前記プロセッサによって実行されると、前記第１のＡＰに、
以前の再関連付け動作の記録に少なくとも部分的に基づいて、前記再関連付け動作を選択させる命令を備える、請求項２２に記載の第１のＡＰ。
【請求項２９】
前記第１のＡＰを前記第２のＡＰと調整する前記命令は、前記プロセッサによって実行されると、前記第１のＡＰに、前記第１のＡＰで前記ネットワークインターフェースを介して送信される第１のビーコンフレームの送信電力を一時的に減少させる命令を備える、請求項２２に記載の第１のＡＰ。
【請求項３０】
前記ＡＰ調整メッセージが、前記第２のＡＰに、前記第２のＡＰによって送信される第２のビーコンフレームの送信電力を増加させるためのインジケータを含む、請求項２９に記載の第１のＡＰ。
【請求項３１】
再関連付けすると決定する前記命令は、前記プロセッサによって実行されると、前記第１のＡＰに、
前記ワイヤレスクライアントデバイスと前記第２のＡＰとの関連付けが、より大きいアプリケーションスループットを前記ワイヤレスクライアントデバイスに提供すると決定させる命令を備える、請求項２２に記載の第１のＡＰ。
【請求項３２】
再関連付けすると決定する前記命令は、前記プロセッサによって実行されると、前記第１のＡＰに、
前記ワイヤレスクライアントデバイスと前記第２のＡＰとの関連付けが、前記第１のＡＰと前記第２のＡＰとの間の負荷バランシングを改善すると決定させる命令を備える、請求項２２に記載の第１のＡＰ。
【請求項３３】
再関連付けすると決定する前記命令は、前記プロセッサによって実行されると、前記第１のＡＰに、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定させる命令を備える、請求項２２に記載の第１のＡＰ。
【請求項３４】
前記ワイヤレスクライアントデバイスと前記第２のＡＰとの前記関連付けが、ピアツーピア通信を可能にすると決定する前記命令は、前記プロセッサによって実行されると、前記第１のＡＰに、
前記ワイヤレスクライアントデバイスと、前記第２のＡＰに関連付けられた少なくとも１つのワイヤレスクライアントデバイスとの間のネットワークトラフィックフローを検出させる命令を備える、請求項３３に記載の第１のＡＰ。
【請求項３５】
ワイヤレスネットワークの第１のアクセスポイント（ＡＰ）のプロセッサによって実行されると、前記第１のＡＰに、
前記第１のＡＰに通信可能に結合されたワイヤレスクライアントデバイスを前記第１のＡＰから前記ワイヤレスネットワークの第２のＡＰに再関連付けすると決定することと、
前記ワイヤレスクライアントデバイスを前記第２のＡＰに再関連付けさせるために、再関連付け動作を決定することと、
ＡＰ調整メッセージを前記第２のＡＰに伝達することと、前記ＡＰ調整メッセージが前記ワイヤレスクライアントデバイスの識別を含み、前記再関連付け動作の表示を含む、
前記再関連付け動作に従って前記ワイヤレスクライアントデバイスを前記第２のＡＰに前記再関連付けするために、前記第１のＡＰを前記第２のＡＰと調整することと
を行わせる命令を記憶する、コンピュータ可読媒体。
【請求項３６】
前記再関連付け動作を決定する前記命令が、前記第１のＡＰの前記プロセッサによって実行されると、前記第１のＡＰに、
前記第１のＡＰによって送信されるビーコンフレームの送信電力を減少させることと、
前記ワイヤレスクライアントデバイスを前記第２のＡＰに再関連付けさせるために、構成パラメータを前記ワイヤレスクライアントデバイスに送信することと、
前記ワイヤレスクライアントデバイスに新しいネットワーク発見および選択を実行するよう強制するために、関連付け解除命令を前記ワイヤレスクライアントデバイスに送信することと、
前記ワイヤレスクライアントデバイスに前記新しいネットワーク発見および選択を実行するよう強制するために、前記ワイヤレスクライアントデバイスからの少なくとも１つの着信パケットをブロックすることと
で構成されるグループから前記再関連付け動作を選択させる命令を備える、請求項３５に記載のコンピュータ可読媒体。
【請求項３７】
前記第１のＡＰによって送信されるビーコンフレームの前記送信電力を前記減少させることが、前記第２のＡＰによって送信されるビーコンフレームの送信電力の増加と連携して、前記第１のＡＰによって送信されるビーコンフレームの前記送信電力の減少を調整することを備える、請求項３６に記載のコンピュータ可読媒体。
【請求項３８】
前記ＡＰ調整メッセージが、前記再関連付け動作を同期するためのタイミング情報をさらに含む、請求項３５に記載のコンピュータ可読媒体。
【請求項３９】
前記命令が、前記第１のＡＰの前記プロセッサによって実行されると、前記第１のＡＰに、
前記ワイヤレスクライアントデバイスのために実行された以前の再関連付け動作の記録を維持させ、ここにおいて、前記記録が前記ワイヤレスクライアントデバイスを識別し、前記ワイヤレスクライアントデバイスを前記第１のＡＰから前記第２のＡＰに再関連付けするために使用された以前の再関連付け動作を示す、請求項３５に記載のコンピュータ可読媒体。
【請求項４０】
前記記録が、前記以前の再関連付け動作の開始と、前記以前の再関連付け動作の完了との間の時間の量に関連付けられる待ち時間をさらに含む、請求項３９に記載のコンピュータ可読媒体。
【請求項４１】
前記第１のＡＰに前記再関連付け動作を決定させる前記命令が、前記第１のＡＰの前記プロセッサによって実行されると、前記第１のＡＰに、
以前の再関連付け動作の記録に少なくとも部分的に基づいて、前記再関連付け動作を選択させる命令を備える、請求項３５に記載のコンピュータ可読媒体。
【請求項４２】
前記第１のＡＰに、前記第１のＡＰを前記第２のＡＰと調整させる前記命令が、前記第１のＡＰの前記プロセッサによって実行されると、前記第１のＡＰに、前記第１のＡＰでネットワークインターフェースを介して送信される第１のビーコンフレームの送信電力を一時的に減少させる命令を備える、請求項３５に記載のコンピュータ可読媒体。
【請求項４３】
前記ＡＰ調整メッセージが、前記第２のＡＰに、前記第２のＡＰによって送信される第２のビーコンフレームの送信電力を増加させるためのインジケータを含む、請求項４２に記載のコンピュータ可読媒体。
【請求項４４】
再関連付けすると前記第１のＡＰに決定させる前記命令が、前記第１のＡＰの前記プロセッサによって実行されると、前記第１のＡＰに、
前記ワイヤレスクライアントデバイスと前記第２のＡＰとの関連付けが、より大きいアプリケーションスループットを前記ワイヤレスクライアントデバイスに提供すると決定させる命令を備える、請求項３５に記載のコンピュータ可読媒体。
【請求項４５】
再関連付けすると前記第１のＡＰに決定させる前記命令が、前記第１のＡＰの前記プロセッサによって実行されると、前記第１のＡＰに、
前記ワイヤレスクライアントデバイスと前記第２のＡＰとの関連付けが、前記第１のＡＰと前記第２のＡＰとの間の負荷バランシングを改善すると決定させる命令を備える、請求項３５に記載のコンピュータ可読媒体。
【請求項４６】
再関連付けすると前記第１のＡＰに決定させる前記命令が、前記第１のＡＰの前記プロセッサによって実行されると、前記第１のＡＰに、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定させる命令を備える、請求項３５に記載のコンピュータ可読媒体。
【請求項４７】
ワイヤレスネットワークの第１のアクセスポイント（ＡＰ）で、前記第１のＡＰに通信可能に結合されたワイヤレスクライアントデバイスを前記第１のＡＰから前記ワイヤレスネットワークの第２のＡＰに再関連付けすると決定するための手段と、
前記ワイヤレスクライアントデバイスを前記第２のＡＰに再関連付けさせるために、再関連付け動作を決定するための手段と、
ＡＰ調整メッセージを前記第２のＡＰに伝達するための手段と、前記ＡＰ調整メッセージが前記ワイヤレスクライアントデバイスの識別および前記再関連付け動作の表示を含む、
前記再関連付け動作に従って前記ワイヤレスクライアントデバイスを前記第２のＡＰに再関連付けするために、前記第１のＡＰを前記第２のＡＰと調整するための手段と
を備える、装置。
【請求項４８】
前記再関連付け動作を決定するための前記手段が、
前記第１のＡＰによって送信されるビーコンフレームの送信電力を減少させることと、
前記ワイヤレスクライアントデバイスを前記第１のＡＰから前記第２のＡＰに再関連付けさせるために、構成パラメータを前記ワイヤレスクライアントデバイスに送信することと、
前記ワイヤレスクライアントデバイスに新しいネットワーク発見および選択を実行するよう強制するために、関連付け解除命令を前記ワイヤレスクライアントデバイスに送信することと、
前記ワイヤレスクライアントデバイスに前記新しいネットワーク発見および選択を実行するよう強制するために、前記ワイヤレスクライアントデバイスからの少なくとも１つの着信パケットをブロックすることと
で構成されるグループから前記再関連付け動作を選択するための手段を備える、請求項４７に記載の装置。
【手続補正２】
【補正対象書類名】明細書
【補正対象項目名】０１２９
【補正方法】変更
【補正の内容】
【０１２９】
[00138]複数の事例は、本明細書に記載の構成要素、動作、または構造に、単一の例としてもたらされ得る。最後に、様々な構成要素、動作、およびデータストア間の境界は、ある程度任意であり、特定の動作が特有の例示的な構成に照らして示される。機能の他の割当ても想定され、本開示の範囲内に入ることができる。一般に、例示的な構成において別個の構成要素として提示された構造と機能が、組み合わされた構造または構成要素として実装され得る。同様に、単一の構成要素として提示された構造と機能は、別個の構成要素として実装され得る。これらおよび他の変形形態、修正形態、追加、および改良は、本開示の範囲内に入ることができる。
以下に本願発明の当初の特許請求の範囲に記載された発明を付記する。
［Ｃ１］
ワイヤレスネットワークの第１のアクセスポイント（ＡＰ）で、前記第１のＡＰに通信可能に結合されたワイヤレスクライアントデバイスに前記第１のＡＰから前記ワイヤレスネットワークの第２のＡＰに再関連付けさせると決定することと、
ＡＰ調整メッセージを前記第１のＡＰから前記第２のＡＰに伝達することと、前記ＡＰ調整メッセージが前記ワイヤレスクライアントデバイスを識別し、再関連付け調整情報を含む、
前記再関連付け調整情報に従って前記ワイヤレスクライアントデバイスの前記第２のＡＰへの前記再関連付けを生じさせるために、前記第１のＡＰを前記第２のＡＰと調整することとを備える、方法。
［Ｃ２］
前記ワイヤレスクライアントデバイスの前記再関連付けを生じさせるために前記第１のＡＰを前記第２のＡＰと調整することが、前記ワイヤレスクライアントデバイスを前記第２のＡＰに再関連付けさせるために少なくとも１つの再関連付け動作を試みることを含み、前記再関連付け動作が、
前記第１のＡＰによって送信されるビーコンフレームの送信電力を減少させることと、
前記ワイヤレスクライアントデバイスを前記第２のＡＰに再関連付けさせるために、少なくとも前記第２のＡＰを識別する構成パラメータを前記ワイヤレスクライアントデバイスに送ることと、
前記ワイヤレスクライアントデバイスに新しいネットワーク発見および選択を実行するよう強制するために、関連付け解除命令を前記ワイヤレスクライアントデバイスに送ることと、
前記ワイヤレスクライアントデバイスに前記新しいネットワーク発見および選択を実行するよう強制するために、前記第１のＡＰで、前記ワイヤレスクライアントデバイスからの少なくとも１つの着信パケットをブロックすることとで構成されるグループから少なくとも１つの動作を含む、Ｃ１に記載の方法。
［Ｃ３］
前記第１のＡＰによって送信されるビーコンフレームの送信電力を減少させることが、前記第２のＡＰによって送信されるビーコンフレームの送信電力の増加と連携して、前記第１のＡＰによって送信されるビーコンフレームの送信電力を前記減少させることを調整することを含む、Ｃ２に記載の方法。
［Ｃ４］
前記再関連付け調整情報が、前記再関連付け動作を同期するためのタイミング情報を含む、Ｃ２に記載の方法。
［Ｃ５］
前記ワイヤレスクライアントデバイスのために実行された以前の再関連付け動作の記録を維持することをさらに備え、ここにおいて、前記記録が前記ワイヤレスクライアントデバイスを識別し、前記ワイヤレスクライアントデバイスの前記第１のＡＰから前記第２のＡＰへの前記再関連付けを成功裏に生じさせた前記以前の再関連付け動作を示す、Ｃ２に記載の方法。
［Ｃ６］
前記記録が、前記以前の再関連付け動作の開始と、前記以前の再関連付け動作の完了との間の時間の量に関連付けられる待ち時間をさらに含む、Ｃ５に記載の方法。
［Ｃ７］
前記以前の再関連付け動作の前記記録に少なくとも部分的に基づいて、どの再関連付け動作を実行するべきかを選択することをさらに備える、Ｃ５に記載の方法。
［Ｃ８］
前記ワイヤレスクライアントデバイスの前記再関連付けを生じさせるために前記第１のＡＰを前記第２のＡＰと調整することが、前記第１のＡＰで、第１のビーコンフレームの送信電力を一時的に減少させることを含む、Ｃ１に記載の方法。
［Ｃ９］
前記ＡＰ調整メッセージが、前記第２のＡＰに、前記第２のＡＰによって送信される第２のビーコンフレームの送信電力を増加させるためのインジケータを含む、Ｃ８に記載の方法。
［Ｃ１０］
前記ワイヤレスクライアントデバイスの前記再関連付けを生じさせるために前記第１のＡＰを前記第２のＡＰと調整することが、前記ワイヤレスクライアントデバイスに関連付け解除命令を送ることを含む、Ｃ１に記載の方法。
［Ｃ１１］
前記第１のＡＰで、前記ワイヤレスクライアントデバイスからの少なくとも１つの着信パケットをブロックすることをさらに備える、Ｃ１０に記載の方法。
［Ｃ１２］
前記ワイヤレスクライアントデバイスの前記再関連付けを生じさせるために、前記第１のＡＰを前記第２のＡＰと調整することが、
前記ワイヤレスクライアントデバイスを前記第２のＡＰに関連付けさせるために、前記ワイヤレスクライアントデバイスに構成パラメータを送ることを含み、前記構成パラメータが少なくとも前記第２のＡＰを識別する、Ｃ１に記載の方法。
［Ｃ１３］
前記構成パラメータが、少なくとも前記第２のＡＰを含む候補ＡＰのリストを含む、Ｃ１２に記載の方法。
［Ｃ１４］
前記第１のＡＰに通信可能に結合された前記ワイヤレスクライアントデバイスに前記第１のＡＰから前記第２のＡＰに再関連付けさせると決定することが、
前記ワイヤレスクライアントデバイスと前記第１のＡＰとの間のワイヤレス関連付けに関連する第１の性能特性を決定することと、
前記ワイヤレスクライアントデバイスと前記第２のＡＰとの間の潜在的なワイヤレス関連付けに関連する第２の性能特性を推定することと、
前記第２の性能特性が前記第１の性能特性を上回ると決定することとを含む、Ｃ１に記載の方法。
［Ｃ１５］
前記ＡＰ調整メッセージを伝達することが、前記第２の性能特性が前記第１の性能特性を上回ると決定することに応答する、Ｃ１４に記載の方法。
［Ｃ１６］
前記第１のＡＰに通信可能に結合された前記ワイヤレスクライアントデバイスに前記第１のＡＰから前記第２のＡＰに再関連付けさせると決定することが、
前記ワイヤレスクライアントデバイスと前記第２のＡＰとの関連付けが、より大きいアプリケーションスループットを前記ワイヤレスクライアントデバイスに提供すると決定することを含む、Ｃ１に記載の方法。
［Ｃ１７］
前記第１のＡＰに通信可能に結合された前記ワイヤレスクライアントデバイスに前記第２のＡＰに再関連付けさせると決定することが、
前記ワイヤレスクライアントデバイスと前記第２のＡＰとの関連付けが、前記第１のＡＰと前記第２のＡＰとの間の負荷バランシングを改善すると決定することを含む、Ｃ１に記載の方法。
［Ｃ１８］
前記第１のＡＰに通信可能に結合された前記ワイヤレスクライアントデバイスに前記第１のＡＰから前記第２のＡＰに再関連付けさせると決定することが、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定することを含む、Ｃ１に記載の方法。
［Ｃ１９］
前記ワイヤレスクライアントデバイスと前記第２のＡＰとの前記関連付けが、前記ワイヤレスクライアントデバイスと、前記第２のＡＰに関連付けられた他のワイヤレスクライアントデバイスとの間のピアツーピア通信を可能にすると決定することが、前記ワイヤレスクライアントデバイスと、前記第２のＡＰに関連付けられた少なくとも１つのワイヤレスクライアントデバイスとの間のネットワークトラフィックフローを検出することを含む、Ｃ１８に記載の方法。
［Ｃ２０］
前記第１のＡＰに通信可能に結合された前記ワイヤレスクライアントデバイスに前記第１のＡＰから前記第２のＡＰに再関連付けさせると決定することが、
前記第１のＡＰで、前記第１のＡＰの第１のＡＰ調整モジュールで受信された情報に基づいて、前記第１のＡＰから前記ワイヤレスクライアントデバイスを関連付け解除すると決定することを含む、Ｃ１に記載の方法。
［Ｃ２１］
前記第１のＡＰで、前記ワイヤレスクライアントデバイスが前記第２のＡＰに関連付けられた状態になっているという確認を受信することをさらに備える、Ｃ１に記載の方法。
［Ｃ２２］
ワイヤレスネットワークの第１のアクセスポイント（ＡＰ）であって、前記第１のＡＰが、
前記ワイヤレスネットワークと結合するように動作可能なネットワークインターフェースと、
前記第１のアクセスポイント（ＡＰ）で、前記ネットワークインターフェースを介して前記第１のＡＰに通信可能に結合されたワイヤレスクライアントデバイスに前記第１のＡＰから前記ワイヤレスネットワークの第２のＡＰに再関連付けさせると決定することと、
ＡＰ調整メッセージを前記第１のＡＰから前記第２のＡＰに伝達することと、前記ＡＰ調整メッセージが前記ワイヤレスクライアントデバイスを識別し、再関連付け調整情報を含む、
前記再関連付け調整情報に従って前記ワイヤレスクライアントデバイスの前記第２のＡＰへの前記再関連付けを生じさせるために、前記第１のＡＰを前記第２のＡＰと調整することとを行うように動作可能なＡＰ調整モジュールと、を備える、ワイヤレスネットワークの第１のアクセスポイント。
［Ｃ２３］
前記ワイヤレスクライアントデバイスの前記再関連付けを生じさせるために前記第１のＡＰを前記第２のＡＰと調整するように動作可能な前記ＡＰ調整モジュールが、
前記ワイヤレスクライアントデバイスを前記第２のＡＰに再関連付けさせるために少なくとも１つの再関連付け動作を試みるように動作可能な前記ＡＰ調整モジュールを備え、前記再関連付け動作が、
前記第１のＡＰによって送信されるビーコンフレームの送信電力を減少させることと、
前記ワイヤレスクライアントデバイスを前記第２のＡＰに再関連付けさせるために、少なくとも前記第２のＡＰを識別する構成パラメータを前記ワイヤレスクライアントデバイスに送ることと、
前記ワイヤレスクライアントデバイスに新しいネットワーク発見および選択を実行するよう強制するために、関連付け解除命令を前記ワイヤレスクライアントデバイスに送ることと、
前記ワイヤレスクライアントデバイスに前記新しいネットワーク発見および選択を実行するよう強制するために、前記第１のＡＰで、前記ワイヤレスクライアントデバイスからの少なくとも１つの着信パケットをブロックすることとで構成されるグループから少なくとも１つの動作を含む、Ｃ２２に記載の第１のＡＰ。
［Ｃ２４］
前記第１のＡＰによって送信されるビーコンフレームの送信電力を減少させることが、前記第２のＡＰによって送信されるビーコンフレームの送信電力の増加と連携して、前記第１のＡＰによって送信されるビーコンフレームの送信電力を前記減少させることを調整することを含む、Ｃ２３に記載の第１のＡＰ。
［Ｃ２５］
前記再関連付け調整情報が、前記再関連付け動作を同期するためのタイミング情報を含む、Ｃ２３に記載の第１のＡＰ。
［Ｃ２６］
前記ＡＰ調整モジュールが、
前記ワイヤレスクライアントデバイスのために実行された以前の再関連付け動作の記録を維持するようにさらに動作可能であり、ここにおいて、前記記録が前記ワイヤレスクライアントデバイスを識別し、前記ワイヤレスクライアントデバイスの前記第１のＡＰから前記第２のＡＰへの前記再関連付けを成功裏に生じさせた前記以前の再関連付け動作を示す、Ｃ２３に記載の第１のＡＰ。
［Ｃ２７］
前記記録が、前記以前の再関連付け動作の開始と、前記以前の再関連付け動作の完了との間の時間の量に関連付けられる待ち時間をさらに含む、Ｃ２６に記載の第１のＡＰ。
［Ｃ２８］
前記ＡＰ調整モジュールが、
前記以前の再関連付け動作の前記記録に少なくとも部分的に基づいて、どの再関連付け動作を実行するべきかを選択するようにさらに動作可能である、Ｃ２６に記載の第１のＡＰ。
［Ｃ２９］
前記ワイヤレスクライアントデバイスを前記第１のＡＰから前記第２のＡＰに再関連付けさせるために前記第１のＡＰを前記第２のＡＰと調整するように動作可能な前記ＡＰ調整モジュールが、前記第１のＡＰで前記ネットワークインターフェースを介して送信される第１のビーコンフレームの送信電力を一時的に減少させるように動作可能な前記ＡＰ調整モジュールを備える、Ｃ２２に記載の第１のＡＰ。
［Ｃ３０］
前記ＡＰ調整メッセージが、前記第２のＡＰに、前記第２のＡＰによって送信される第２のビーコンフレームの送信電力を増加させるためのインジケータを含む、Ｃ２９に記載の第１のＡＰ。
［Ｃ３１］
前記第１のＡＰに通信可能に結合された前記ワイヤレスクライアントデバイスに前記第１のＡＰから前記第２のＡＰに再関連付けさせると決定するように動作可能な前記ＡＰ調整モジュールが、
前記ワイヤレスクライアントデバイスと前記第２のＡＰとの関連付けが、より大きいアプリケーションスループットを前記ワイヤレスクライアントデバイスに提供すると決定するように動作可能な前記ＡＰ調整モジュールを含む、Ｃ２２に記載の第１のＡＰ。
［Ｃ３２］
前記第１のＡＰに通信可能に結合された前記ワイヤレスクライアントデバイスに前記第１のＡＰから前記第２のＡＰに再関連付けさせると決定するように動作可能な前記ＡＰ調整モジュールが、
前記ワイヤレスクライアントデバイスと前記第２のＡＰとの関連付けが、前記第１のＡＰと前記第２のＡＰとの間の負荷バランシングを改善すると決定するように動作可能な前記ＡＰ調整モジュールを含む、Ｃ２２に記載の第１のＡＰ。
［Ｃ３３］
前記第１のＡＰに通信可能に結合された前記ワイヤレスクライアントデバイスに前記第１のＡＰから前記第２のＡＰに再関連付けさせると決定するように動作可能な前記ＡＰ調整モジュールが、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定するように動作可能な前記ＡＰ調整モジュールを含む、Ｃ２２に記載の第１のＡＰ。
［Ｃ３４］
前記ワイヤレスクライアントデバイスと前記第２のＡＰとの前記関連付けが、前記ワイヤレスクライアントデバイスと、前記第２のＡＰに関連付けられた他のワイヤレスクライアントデバイスとの間のピアツーピア通信を可能にすると決定するように動作可能な前記ＡＰ調整モジュールが、
前記ワイヤレスクライアントデバイスと、前記第２のＡＰに関連付けられた少なくとも１つのワイヤレスクライアントデバイスとの間のネットワークトラフィックフローを検出するように動作可能な前記ＡＰ調整モジュールを備える、Ｃ３３に記載の第１のＡＰ。
［Ｃ３５］
デバイスのプロセッサによって実行されると、前記デバイスに、
ワイヤレスネットワークの第１のアクセスポイント（ＡＰ）で、前記第１のＡＰに通信可能に結合されたワイヤレスクライアントデバイスに前記第１のＡＰから前記ワイヤレスネットワークの第２のＡＰに再関連付けさせると決定することと、
ＡＰ調整メッセージを前記第１のＡＰから前記第２のＡＰに伝達することと、前記ＡＰ調整メッセージが前記ワイヤレスクライアントデバイスを識別し、再関連付け調整情報を含む、
前記再関連付け調整情報に従って前記ワイヤレスクライアントデバイスの前記第２のＡＰへの前記再関連付けを生じさせるために、前記第１のＡＰを前記第２のＡＰと調整することとを行わせる命令を記憶する、コンピュータ可読媒体。
［Ｃ３６］
前記命令が、前記デバイスの前記プロセッサによって実行されると、前記デバイスに、
前記ワイヤレスクライアントデバイスを前記第２のＡＰに再関連付けさせるために少なくとも１つの再関連付け動作を試みさせ、前記再関連付け動作が、
前記第１のＡＰによって送信されるビーコンフレームの送信電力を減少させることと、
前記ワイヤレスクライアントデバイスを前記第２のＡＰに再関連付けさせるために、少なくとも前記第２のＡＰを識別する構成パラメータを前記ワイヤレスクライアントデバイスに送ることと、
前記ワイヤレスクライアントデバイスに新しいネットワーク発見および選択を実行するよう強制するために、関連付け解除命令を前記ワイヤレスクライアントデバイスに送ることと、
前記ワイヤレスクライアントデバイスに前記新しいネットワーク発見および選択を実行するよう強制するために、前記第１のＡＰで、前記ワイヤレスクライアントデバイスからの少なくとも１つの着信パケットをブロックすることとで構成されるグループから少なくとも１つの動作を含む、Ｃ３５に記載のコンピュータ可読媒体。
［Ｃ３７］
前記第１のＡＰによって送信されるビーコンフレームの送信電力を減少させることが、前記第２のＡＰによって送信されるビーコンフレームの送信電力の増加と連携して、前記第１のＡＰによって送信されるビーコンフレームの送信電力を前記減少させることを調整することを含む、Ｃ３６に記載のコンピュータ可読媒体。
［Ｃ３８］
前記再関連付け調整情報が、前記再関連付け動作を同期するためのタイミング情報を含む、Ｃ３６に記載のコンピュータ可読媒体。
［Ｃ３９］
前記命令が、前記デバイスの前記プロセッサによって実行されると、前記デバイスに、
前記ワイヤレスクライアントデバイスのために実行された以前の再関連付け動作の記録を維持させ、ここにおいて、前記記録が前記ワイヤレスクライアントデバイスを識別し、前記ワイヤレスクライアントデバイスの前記第１のＡＰから前記第２のＡＰへの前記再関連付けを成功裏に生じさせた以前の再関連付け動作を示す、Ｃ３６に記載のコンピュータ可読媒体。
［Ｃ４０］
前記記録が、前記以前の再関連付け動作の開始と、前記以前の再関連付け動作の完了との間の時間の量に関連付けられる待ち時間をさらに含む、Ｃ３９に記載のコンピュータ可読媒体。
［Ｃ４１］
前記命令が、前記デバイスの前記プロセッサによって実行されると、前記デバイスに、
前記以前の再関連付け動作の前記記録に少なくとも部分的に基づいて、どの再関連付け動作を実行するべきかを選択させる、Ｃ３９に記載のコンピュータ可読媒体。
［Ｃ４２］
前記デバイスに、前記ワイヤレスクライアントデバイスの前記再関連付けを生じさせるために前記第１のＡＰを前記第２のＡＰと調整させる前記命令が、前記デバイスの前記プロセッサによって実行されると、前記デバイスに、前記第１のＡＰでネットワークインターフェースを介して送信される第１のビーコンフレームの送信電力を一時的に減少させる命令を備える、Ｃ３５に記載のコンピュータ可読媒体。
［Ｃ４３］
前記ＡＰ調整メッセージが、前記第２のＡＰに、前記第２のＡＰによって送信される第２のビーコンフレームの送信電力を増加させるためのインジケータを含む、Ｃ４２に記載のコンピュータ可読媒体。
［Ｃ４４］
前記第１のＡＰに通信可能に結合された前記ワイヤレスクライアントデバイスに前記第１のＡＰから前記第２のＡＰに再関連付けさせると前記デバイスに決定させる前記命令が、前記デバイスの前記プロセッサによって実行されると、前記デバイスに、
前記ワイヤレスクライアントデバイスと前記第２のＡＰとの関連付けが、より大きいアプリケーションスループットを前記ワイヤレスクライアントデバイスに提供すると決定させる命令を備える、Ｃ３５に記載のコンピュータ可読媒体。
［Ｃ４５］
前記第１のＡＰに通信可能に結合された前記ワイヤレスクライアントデバイスに前記第１のＡＰから前記第２のＡＰに再関連付けさせると前記デバイスに決定させる前記命令が、前記デバイスの前記プロセッサによって実行されると、前記デバイスに、
前記ワイヤレスクライアントデバイスと前記第２のＡＰとの関連付けが、前記第１のＡＰと前記第２のＡＰとの間の負荷バランシングを改善すると決定させる命令を備える、Ｃ３５に記載のコンピュータ可読媒体。
［Ｃ４６］
前記第１のＡＰに通信可能に結合された前記ワイヤレスクライアントデバイスに前記第１のＡＰから前記第２のＡＰに再関連付けさせると前記デバイスに決定させる前記命令が、前記デバイスの前記プロセッサによって実行されると、前記デバイスに、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定させる命令を備える、Ｃ３５に記載のコンピュータ可読媒体。
［Ｃ４７］
第１のＡＰに通信可能に結合されたワイヤレスクライアントデバイスに前記第１のＡＰからワイヤレスネットワークの第２のＡＰに再関連付けさせると決定するための手段と、
ＡＰ調整メッセージを前記第１のＡＰから前記第２のＡＰに伝達するための手段と、前記ＡＰ調整メッセージが前記ワイヤレスクライアントデバイスを識別し、再関連付け調整情報を含む、
前記再関連付け調整情報に従って前記ワイヤレスクライアントデバイスの前記第２のＡＰへの前記再関連付けを生じさせるために、前記第１のＡＰを前記第２のＡＰと調整するための手段とを備える、装置。
［Ｃ４８］
前記ワイヤレスクライアントデバイスを前記第１のＡＰから前記第２のＡＰに再関連付けさせるために、前記第１のＡＰを前記第２のＡＰと調整するための前記手段が、前記ワイヤレスクライアントデバイスを前記第２のＡＰに再関連付けさせるために、少なくとも１つの再関連付け動作を試みるための手段を含み、前記再関連付け動作が、
前記第１のＡＰによって送信されるビーコンフレームの送信電力を減少させることと、
前記ワイヤレスクライアントデバイスを前記第１のＡＰから前記第２のＡＰに再関連付けさせるために、少なくとも前記第２のＡＰを識別する構成パラメータを前記ワイヤレスクライアントデバイスに送ることと、
前記ワイヤレスクライアントデバイスに新しいネットワーク発見および選択を実行するよう強制するために、関連付け解除命令を前記ワイヤレスクライアントデバイスに送ることと、
前記ワイヤレスクライアントデバイスに前記新しいネットワーク発見および選択を実行するよう強制するために、前記第１のＡＰで、前記ワイヤレスクライアントデバイスからの少なくとも１つの着信パケットをブロックすることとで構成されるグループから少なくとも１つの動作を含む、Ｃ４７に記載の装置。
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
ワイヤレスネットワークの第１のアクセスポイント（ＡＰ）によって実行される方法であって、
前記第１のＡＰに通信可能に結合されたワイヤレスクライアントデバイスを前記第１のＡＰから前記ワイヤレスネットワークの第２のＡＰに再関連付けすると決定することと、
前記ワイヤレスクライアントデバイスを前記第２のＡＰに再関連付けさせるために、複数の再関連付け動作から１つの再関連付け動作を選択することと、
ＡＰ調整メッセージを前記第２のＡＰに伝達することと、前記ＡＰ調整メッセージが前記ワイヤレスクライアントデバイスの識別および前記再関連付け動作の表示を含む、
前記再関連付け動作に従って前記ワイヤレスクライアントデバイスを前記第２のＡＰに再関連付けするために、前記第１のＡＰを前記第２のＡＰと調整することと
を備える、方法。
【請求項２】
前記再関連付け動作を選択することは、
前記第１のＡＰによって送信されるビーコンフレームの送信電力を減少させることと、
前記ワイヤレスクライアントデバイスを前記第２のＡＰに再関連付けさせるために、構成パラメータを前記ワイヤレスクライアントデバイスに送信することと、
前記ワイヤレスクライアントデバイスに新しいネットワーク発見および選択を実行するよう強制するために、関連付け解除命令を前記ワイヤレスクライアントデバイスに送信することと、
前記ワイヤレスクライアントデバイスに前記新しいネットワーク発見および選択を実行するよう強制するために、前記ワイヤレスクライアントデバイスからの少なくとも１つの着信パケットをブロックすることと
で構成されるグループから前記再関連付け動作を選択することを備える、請求項１に記載の方法。
【請求項３】
前記第１のＡＰによって送信されるビーコンフレームの前記送信電力を減少させることが、前記第２のＡＰによって送信されるビーコンフレームの送信電力の増加と連携して、前記第１のＡＰによって送信されるビーコンフレームの前記送信電力の減少を調整することを含む、請求項２に記載の方法。
【請求項４】
前記ＡＰ調整メッセージが、前記再関連付け動作を同期するためのタイミング情報をさらに含む、請求項１に記載の方法。
【請求項５】
前記ワイヤレスクライアントデバイスのために実行された以前の再関連付け動作の記録を維持することをさらに備え、ここにおいて、前記記録が前記ワイヤレスクライアントデバイスを識別し、前記ワイヤレスクライアントデバイスを前記第１のＡＰから前記第２のＡＰに再関連付けするために使用された以前の再関連付け動作を示す、請求項１に記載の方法。
【請求項６】
前記記録が、前記以前の再関連付け動作の開始と、前記以前の再関連付け動作の完了との間の時間の量に関連付けられる待ち時間をさらに含む、請求項５に記載の方法。
【請求項７】
前記再関連付け動作を選択することは、
以前の再関連付け動作の記録に少なくとも部分的に基づいて、前記再関連付け動作を選択すること
を備える、請求項１に記載の方法。
【請求項８】
前記第１のＡＰを前記第２のＡＰと調整することが、前記第１のＡＰで、第１のビーコンフレームの送信電力を一時的に減少させることを備える、請求項１に記載の方法。
【請求項９】
前記ＡＰ調整メッセージが、前記第２のＡＰに、前記第２のＡＰによって送信される第２のビーコンフレームの送信電力を増加させるためのインジケータを含む、請求項８に記載の方法。
【請求項１０】
前記第１のＡＰを前記第２のＡＰと調整することが、前記ワイヤレスクライアントデバイスに関連付け解除命令を送信することを備える、請求項１に記載の方法。
【請求項１１】
前記第１のＡＰで、前記ワイヤレスクライアントデバイスからの少なくとも１つの着信パケットをブロックすることをさらに備える、請求項１０に記載の方法。
【請求項１２】
前記第１のＡＰを前記第２のＡＰと調整することが、
前記ワイヤレスクライアントデバイスを前記第２のＡＰに再関連付けさせるために、前記ワイヤレスクライアントデバイスに構成パラメータを送信することを備える、請求項１に記載の方法。
【請求項１３】
前記構成パラメータが、少なくとも前記第２のＡＰを含む候補ＡＰのリストを含む、請求項１２に記載の方法。
【請求項１４】
再関連付けすると決定することが、
前記ワイヤレスクライアントデバイスと前記第１のＡＰとの間のワイヤレス関連付けに関連する第１の性能特性を決定することと、
前記ワイヤレスクライアントデバイスと前記第２のＡＰとの間の潜在的なワイヤレス関連付けに関連する第２の性能特性を推定することと、
前記第２の性能特性が前記第１の性能特性を上回ると決定することと
を備える、請求項１に記載の方法。
【請求項１５】
前記ＡＰ調整メッセージを伝達することが、前記第２の性能特性が前記第１の性能特性を上回ると決定することに応答する、請求項１４に記載の方法。
【請求項１６】
再関連付けすると決定することが、
前記ワイヤレスクライアントデバイスと前記第２のＡＰとの関連付けが、より大きいアプリケーションスループットを前記ワイヤレスクライアントデバイスに提供すると決定することを備える、請求項１に記載の方法。
【請求項１７】
再関連付けすると決定することが、
前記ワイヤレスクライアントデバイスと前記第２のＡＰとの関連付けが、前記第１のＡＰと前記第２のＡＰとの間の負荷バランシングを改善すると決定することを備える、請求項１に記載の方法。
【請求項１８】
再関連付けすると決定することが、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定することを備える、請求項１に記載の方法。
【請求項１９】
前記ワイヤレスクライアントデバイスと前記第２のＡＰとの前記関連付けが、ピアツーピア通信を可能にすると決定することが、前記ワイヤレスクライアントデバイスと、前記第２のＡＰに関連付けられた少なくとも１つのワイヤレスクライアントデバイスとの間のネットワークトラフィックフローを検出することを備える、請求項１８に記載の方法。
【請求項２０】
再関連付けすると決定することが、
前記第２のＡＰ、別のＡＰ、または前記ワイヤレスネットワークの中央調整器から受信された情報に少なくとも部分的に基づいて、前記第１のＡＰから前記ワイヤレスクライアントデバイスを関連付け解除すると決定することを備える、請求項１に記載の方法。
【請求項２１】
前記ワイヤレスクライアントデバイスが前記第２のＡＰに関連付けられた状態になっているという確認を受信することをさらに備える、請求項１に記載の方法。
【請求項２２】
ワイヤレスネットワークの第１のアクセスポイント（ＡＰ）であって、前記第１のＡＰが、
前記ワイヤレスネットワークと結合するように動作可能なネットワークインターフェースと、
プロセッサと、
命令を記憶したメモリと
を備え、前記命令は、前記プロセッサによって実行されると、前記第１のＡＰに、
前記ネットワークインターフェースを介して前記第１のＡＰに通信可能に結合されたワイヤレスクライアントデバイスを前記第１のＡＰから前記ワイヤレスネットワークの第２のＡＰに再関連付けすると決定することと、
前記ワイヤレスクライアントデバイスを前記第２のＡＰに再関連付けさせるために、複数の再関連付け動作から１つの再関連付け動作を選択することと、
ＡＰ調整メッセージを前記第２のＡＰに伝達することと、前記ＡＰ調整メッセージが前記ワイヤレスクライアントデバイスの識別および前記再関連付け動作の表示を含む、
前記再関連付け動作に従って前記ワイヤレスクライアントデバイスを前記第２のＡＰに再関連付けするために、前記第１のＡＰを前記第２のＡＰと調整することと
を行わせる、第１のＡＰ。
【請求項２３】
前記再関連付け動作を選択する前記命令は、前記プロセッサによって実行されると、前記プロセッサに、
前記第１のＡＰによって送信されるビーコンフレームの送信電力を減少させることと、
前記ワイヤレスクライアントデバイスを前記第２のＡＰに再関連付けさせるために、構成パラメータを前記ワイヤレスクライアントデバイスに送信することと、
前記ワイヤレスクライアントデバイスに新しいネットワーク発見および選択を実行するよう強制するために、関連付け解除命令を前記ワイヤレスクライアントデバイスに送信することと、
前記ワイヤレスクライアントデバイスに前記新しいネットワーク発見および選択を実行するよう強制するために、前記ワイヤレスクライアントデバイスからの少なくとも１つの着信パケットをブロックすることと
で構成されるグループから前記再関連付け動作を選択させる命令を備える、請求項２２に記載の第１のＡＰ。
【請求項２４】
前記第１のＡＰによって送信されるビーコンフレームの前記送信電力を減少させることの前記再関連付け動作が、前記第２のＡＰによって送信されるビーコンフレームの送信電力の増加と連携して、前記第１のＡＰによって送信されるビーコンフレームの前記送信電力の減少を調整することを備える、請求項２３に記載の第１のＡＰ。
【請求項２５】
前記ＡＰ調整メッセージが、前記再関連付け動作を同期するためのタイミング情報をさらに含む、請求項２２に記載の第１のＡＰ。
【請求項２６】
前記命令が、前記第１のＡＰの前記プロセッサによって実行されると、前記第１のＡＰに、
前記ワイヤレスクライアントデバイスのために実行された以前の再関連付け動作の記録を維持させ、ここにおいて、前記記録が前記ワイヤレスクライアントデバイスを識別し、前記ワイヤレスクライアントデバイスを前記第１のＡＰから前記第２のＡＰに再関連付けするために使用された以前の再関連付け動作を示す、請求項２２に記載の第１のＡＰ。
【請求項２７】
前記記録が、前記以前の再関連付け動作の開始と、前記以前の再関連付け動作の完了との間の時間の量に関連付けられる待ち時間をさらに含む、請求項２６に記載の第１のＡＰ。
【請求項２８】
前記再関連付け動作を選択する前記命令が、前記第１のＡＰの前記プロセッサによって実行されると、前記第１のＡＰに、
以前の再関連付け動作の記録に少なくとも部分的に基づいて、前記再関連付け動作を選択させる命令を備える、請求項２２に記載の第１のＡＰ。
【請求項２９】
前記第１のＡＰを前記第２のＡＰと調整する前記命令は、前記プロセッサによって実行されると、前記第１のＡＰに、前記第１のＡＰで前記ネットワークインターフェースを介して送信される第１のビーコンフレームの送信電力を一時的に減少させる命令を備える、請求項２２に記載の第１のＡＰ。
【請求項３０】
前記ＡＰ調整メッセージが、前記第２のＡＰに、前記第２のＡＰによって送信される第２のビーコンフレームの送信電力を増加させるためのインジケータを含む、請求項２９に記載の第１のＡＰ。
【請求項３１】
再関連付けすると決定する前記命令は、前記プロセッサによって実行されると、前記第１のＡＰに、
前記ワイヤレスクライアントデバイスと前記第２のＡＰとの関連付けが、より大きいアプリケーションスループットを前記ワイヤレスクライアントデバイスに提供すると決定させる命令を備える、請求項２２に記載の第１のＡＰ。
【請求項３２】
再関連付けすると決定する前記命令は、前記プロセッサによって実行されると、前記第１のＡＰに、
前記ワイヤレスクライアントデバイスと前記第２のＡＰとの関連付けが、前記第１のＡＰと前記第２のＡＰとの間の負荷バランシングを改善すると決定させる命令を備える、請求項２２に記載の第１のＡＰ。
【請求項３３】
再関連付けすると決定する前記命令は、前記プロセッサによって実行されると、前記第１のＡＰに、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定させる命令を備える、請求項２２に記載の第１のＡＰ。
【請求項３４】
前記ワイヤレスクライアントデバイスと前記第２のＡＰとの前記関連付けが、ピアツーピア通信を可能にすると決定する前記命令は、前記プロセッサによって実行されると、前記第１のＡＰに、
前記ワイヤレスクライアントデバイスと、前記第２のＡＰに関連付けられた少なくとも１つのワイヤレスクライアントデバイスとの間のネットワークトラフィックフローを検出させる命令を備える、請求項３３に記載の第１のＡＰ。
【請求項３５】
ワイヤレスネットワークの第１のアクセスポイント（ＡＰ）のプロセッサによって実行されると、前記第１のＡＰに、
前記第１のＡＰに通信可能に結合されたワイヤレスクライアントデバイスを前記第１のＡＰから前記ワイヤレスネットワークの第２のＡＰに再関連付けすると決定することと、
前記ワイヤレスクライアントデバイスを前記第２のＡＰに再関連付けさせるために、複数の再関連付け動作から１つの再関連付け動作を選択することと、
ＡＰ調整メッセージを前記第２のＡＰに伝達することと、前記ＡＰ調整メッセージが前記ワイヤレスクライアントデバイスの識別を含み、前記再関連付け動作の表示を含む、
前記再関連付け動作に従って前記ワイヤレスクライアントデバイスを前記第２のＡＰに前記再関連付けするために、前記第１のＡＰを前記第２のＡＰと調整することと
を行わせる命令を記憶する、コンピュータ可読媒体。
【請求項３６】
前記再関連付け動作を選択する前記命令が、前記第１のＡＰの前記プロセッサによって実行されると、前記第１のＡＰに、
前記第１のＡＰによって送信されるビーコンフレームの送信電力を減少させることと、
前記ワイヤレスクライアントデバイスを前記第２のＡＰに再関連付けさせるために、構成パラメータを前記ワイヤレスクライアントデバイスに送信することと、
前記ワイヤレスクライアントデバイスに新しいネットワーク発見および選択を実行するよう強制するために、関連付け解除命令を前記ワイヤレスクライアントデバイスに送信することと、
前記ワイヤレスクライアントデバイスに前記新しいネットワーク発見および選択を実行するよう強制するために、前記ワイヤレスクライアントデバイスからの少なくとも１つの着信パケットをブロックすることと
で構成されるグループから前記再関連付け動作を選択させる命令を備える、請求項３５に記載のコンピュータ可読媒体。
【請求項３７】
前記第１のＡＰによって送信されるビーコンフレームの前記送信電力を前記減少させることが、前記第２のＡＰによって送信されるビーコンフレームの送信電力の増加と連携して、前記第１のＡＰによって送信されるビーコンフレームの前記送信電力の減少を調整することを備える、請求項３６に記載のコンピュータ可読媒体。
【請求項３８】
前記ＡＰ調整メッセージが、前記再関連付け動作を同期するためのタイミング情報をさらに含む、請求項３５に記載のコンピュータ可読媒体。
【請求項３９】
前記命令が、前記第１のＡＰの前記プロセッサによって実行されると、前記第１のＡＰに、
前記ワイヤレスクライアントデバイスのために実行された以前の再関連付け動作の記録を維持させ、ここにおいて、前記記録が前記ワイヤレスクライアントデバイスを識別し、前記ワイヤレスクライアントデバイスを前記第１のＡＰから前記第２のＡＰに再関連付けするために使用された以前の再関連付け動作を示す、請求項３５に記載のコンピュータ可読媒体。
【請求項４０】
前記記録が、前記以前の再関連付け動作の開始と、前記以前の再関連付け動作の完了との間の時間の量に関連付けられる待ち時間をさらに含む、請求項３９に記載のコンピュータ可読媒体。
【請求項４１】
前記第１のＡＰに前記再関連付け動作を選択させる前記命令が、前記第１のＡＰの前記プロセッサによって実行されると、前記第１のＡＰに、
以前の再関連付け動作の記録に少なくとも部分的に基づいて、前記再関連付け動作を選択させる命令を備える、請求項３５に記載のコンピュータ可読媒体。
【請求項４２】
前記第１のＡＰに、前記第１のＡＰを前記第２のＡＰと調整させる前記命令が、前記第１のＡＰの前記プロセッサによって実行されると、前記第１のＡＰに、前記第１のＡＰでネットワークインターフェースを介して送信される第１のビーコンフレームの送信電力を一時的に減少させる命令を備える、請求項３５に記載のコンピュータ可読媒体。
【請求項４３】
前記ＡＰ調整メッセージが、前記第２のＡＰに、前記第２のＡＰによって送信される第２のビーコンフレームの送信電力を増加させるためのインジケータを含む、請求項４２に記載のコンピュータ可読媒体。
【請求項４４】
再関連付けすると前記第１のＡＰに決定させる前記命令が、前記第１のＡＰの前記プロセッサによって実行されると、前記第１のＡＰに、
前記ワイヤレスクライアントデバイスと前記第２のＡＰとの関連付けが、より大きいアプリケーションスループットを前記ワイヤレスクライアントデバイスに提供すると決定させる命令を備える、請求項３５に記載のコンピュータ可読媒体。
【請求項４５】
再関連付けすると前記第１のＡＰに決定させる前記命令が、前記第１のＡＰの前記プロセッサによって実行されると、前記第１のＡＰに、
前記ワイヤレスクライアントデバイスと前記第２のＡＰとの関連付けが、前記第１のＡＰと前記第２のＡＰとの間の負荷バランシングを改善すると決定させる命令を備える、請求項３５に記載のコンピュータ可読媒体。
【請求項４６】
再関連付けすると前記第１のＡＰに決定させる前記命令が、前記第１のＡＰの前記プロセッサによって実行されると、前記第１のＡＰに、
前記ワイヤレスクライアントデバイスと前記第２のＡＰとの関連付けが、前記ワイヤレスクライアントデバイスと、前記第２のＡＰに関連付けられた他のワイヤレスクライアントデバイスとの間のピアツーピア通信を可能にすると決定させる命令を備える、請求項３５に記載のコンピュータ可読媒体。
【請求項４７】
ワイヤレスネットワークの第１のアクセスポイント（ＡＰ）で、前記第１のＡＰに通信可能に結合されたワイヤレスクライアントデバイスを前記第１のＡＰから前記ワイヤレスネットワークの第２のＡＰに再関連付けすると決定するための手段と、
前記ワイヤレスクライアントデバイスを前記第２のＡＰに再関連付けさせるために、複数の再関連付け動作から１つの再関連付け動作を決定するための手段と、
ＡＰ調整メッセージを前記第２のＡＰに伝達するための手段と、前記ＡＰ調整メッセージが前記ワイヤレスクライアントデバイスの識別および前記再関連付け動作の表示を含む、
前記再関連付け動作に従って前記ワイヤレスクライアントデバイスを前記第２のＡＰに再関連付けするために、前記第１のＡＰを前記第２のＡＰと調整するための手段と
を備える、装置。
【請求項４８】
前記再関連付け動作を選択するための前記手段が、
前記第１のＡＰによって送信されるビーコンフレームの送信電力を減少させることと、
前記ワイヤレスクライアントデバイスを前記第１のＡＰから前記第２のＡＰに再関連付けさせるために、構成パラメータを前記ワイヤレスクライアントデバイスに送信することと、
前記ワイヤレスクライアントデバイスに新しいネットワーク発見および選択を実行するよう強制するために、関連付け解除命令を前記ワイヤレスクライアントデバイスに送信することと、
前記ワイヤレスクライアントデバイスに前記新しいネットワーク発見および選択を実行するよう強制するために、前記ワイヤレスクライアントデバイスからの少なくとも１つの着信パケットをブロックすることと
で構成されるグループから前記再関連付け動作を選択するための手段を備える、請求項４７に記載の装置。
【国際調査報告】
2016538737.tif 000013
2016538737.tif 000014
2016538737.tif 000015